(57)【要約】  本明細書において説明するのは、実際のクランク状態に基づいて、電気始動モータに接続されたバッテリの内燃エンジンを始動させる能力を判定する方法であり、バッテリは１つのモノブロック、あるいは直列または並列に電気的に接続された複数のモノブロックである。この方法は、バッテリ温度データを受けるステップと、内燃エンジンをクランキングする時点におけるバッテリの温度を表すステップと、バッテリから監視された電圧データを受けるステップと、内燃エンジンをクランキングする間におけるバッテリ瞬時的最低電圧を判定するステップと、バッテリ温度データおよびバッテリの瞬時的な最低電圧に基づいて、バッテリの内燃エンジンをクランキングする能力を判定するステップとを含むことができる。【選択図】図６
2020528981.tif 000002
【特許請求の範囲】
【請求項１】
実際のクランク条件に基づいて、電気始動モータに接続されているバッテリの内燃エンジンを始動させる能力（クランク健全性）を判定する方法であって、前記バッテリが、１つのモノブロック、あるいは直列または並列に電気的に接続された複数のモノブロックであり、前記方法が、
前記内燃エンジンをクランキングする時点において、前記バッテリの温度を表すバッテリ温度データを受けるステップと、
前記バッテリから監視された電圧データを受けるステップと、
前記内燃エンジンをクランキングする時間中における前記バッテリの瞬時最低電圧を判定するステップと、
前記バッテリ温度データおよび前記バッテリの瞬時最低電圧に基づいて、前記バッテリの前記内燃エンジンをクランキングする能力を判定するステップと、
を含む、方法。
【請求項２】
請求項１記載の方法において、前記クランキングの時間が、１００ｍｓ未満の閾値時間である、方法。
【請求項３】
請求項１記載の方法において、前記瞬時的最低電圧が８Ｖ未満である、方法。
【請求項４】
実際のクランク条件に基づいて、電気始動モータに接続されているバッテリの内燃エンジンを始動させる能力（クランク健全性）を判定する方法であって、前記バッテリが、１つのモノブロック、あるいは直列または並列に電気的に接続された複数のモノブロックであり、前記方法が、
バッテリ電圧の監視に基づいて、クランク・イベントを検出するステップと、
前記クランク・イベント中におけるバッテリ温度（クランク温度）および前記バッテリ電圧（クランク電圧）を検知するステップと、
前記クランク・イベントに関連するクランク温度およびクランク電圧を格納するステップと、
前記クランク温度および前記クランク電圧の変化の分析に基づいて、前記バッテリのクランク健全性を判定するステップと、
を含む、方法。
【請求項５】
請求項４記載の方法において、前記クランク電圧が、エンジン・クランクの開始時における初期短絡回路状態を検出できる十分に高い周波数で、継続的に監視される、方法。
【請求項６】
請求項４記載の方法において、前記クランク電圧が、前記バッテリの内部抵抗を表す、クランク・イベント中における前記バッテリのほぼ瞬時的な最低電圧である、方法。
【請求項７】
請求項４記載の方法において、前記クランク・イベントを検出するステップが、更に、所定の時間期間において発生した、閾値電圧よりも大きな電圧の降下を検出するステップを含み、前記クランク・イベント中における前記クランク電圧を検知するステップが、前記クランク・イベント中における前記バッテリの両バッテリ端子間におけるクランク電圧の最小値を検知するステップを含む、方法。
【請求項８】
請求項４記載の方法において、前記バッテリのクランク健全性を判定するステップが、更に、複数のクランク・イベントに跨がるクランク温度およびクランク電圧の経時的な傾向の分析に基づいて、前記バッテリに対する前記内燃エンジンの残余クランク回数（残余寿命）を予測するステップを含む、方法。
【請求項９】
請求項８記載の方法において、前記残余寿命を予測するステップが、更に、
クランク行列の１つのセルまたは複数のセルにおいて記録されたクランク・イベントの回数を数えるステップ、
前記クランク行列の１つのセルまたは複数のセルに記録されたクランク・イベントの回数に重み付けするステップ、
前記クランク行列の履歴、および特定の電圧および温度範囲におけるクランク・イベントの経時的な変化を分析するステップ、
の内１つ以上を含む、方法。
【請求項１０】
請求項４記載の方法であって、更に、クランク行列を評価して、前記バッテリの悪用の状態、および／または定められた保証条件を外れた前記バッテリの運用を判定することによって、バッテリ保証請求の妥当性を判断するステップを含む、方法。
【請求項１１】
請求項１０記載の方法において、前記バッテリのクランク健全性を判定するステップが、更に、前記クランク・イベント、前記クランク電圧、および前記クランク温度の内少なくとも１つにおける傾向に基づいて、クランク健全性を評価するステップを含む、方法。
【請求項１２】
電気始動モータに接続されているバッテリの内燃エンジンを始動させる能力（クランク健全性）を評価する方法であって、前記バッテリが、１つのモノブロック、あるいは直列または並列に電気的に接続された複数のモノブロックであり、前記方法が、
バッテリ電圧の監視に基づいてクランク・イベントを検出するステップと、
前記クランク・イベント中におけるバッテリ温度（クランク温度）および前記バッテリ電圧（クランク電圧）を検知するステップと、
前記クランク温度および前記クランク電圧に基づいて、前記バッテリのクランク健全性を判定するステップと、
現在のクランク健全性および／または今後の予測クランク健全性の通知を生成するステップと、
を含む、方法。
【請求項１３】
請求項１２記載の方法において、前記クランク・イベントの検出が、前記バッテリの両端子間における電圧の監視に基づく、方法。
【請求項１４】
請求項１２記載の方法であって、更に、クランク行列のＭ×Ｎ個のセルにおいて、前記クランク・イベントに関連するクランク温度およびクランク電圧に対応するセルにおけるカウンタを増分するステップを含み、各セルが、指定されたクランク温度範囲および指定されたクランク電圧範囲に対応する、方法。
【請求項１５】
請求項１４記載の方法において、クランク電圧データが前記クランク電圧を表し、クランク温度データが前記クランク温度を表し、前記クランク電圧データ、前記クランク温度データ、バッテリ特定データ、および用途特定データが、バッテリ監視回路またはリモート・デバイスにプログラミングされる、方法。
【請求項１６】
請求項１５記載の方法において、前記クランク電圧および前記クランク温度のカウントが、特定のエンジン型式についての経験的情報と比較される、方法。
【請求項１７】
請求項１６記載の方法において、容認可能または容認不可能である行列セルの視覚的指示が、前記経験的情報に基づいて、調節可能である、方法。
【請求項１８】
請求項１２記載の方法であって、更に、クランク行列に基づいて、前記バッテリのクランク健全性の通知を出すステップを含む、方法。
【請求項１９】
請求項１２記載の方法であって、更に、クランキング動作が行われた温度および電圧を測定し、クランク行列内に、前記クランキング動作が行われたことがある前記温度および電圧の累積インスタンスを示すことによって、前記バッテリが悪用されたことがあるか、または確立された条件を外れて動作させられたことがあるか否かの視覚的指示を表示するステップを含む、方法。
【請求項２０】
請求項１５記載の方法において、前記クランク電圧データ、前記クランク温度データ、前記バッテリ特定データ、および前記用途特定データに基づいて、バッテリ保証が未だ有効であるか否か判定するステップを含む、方法。
【発明の詳細な説明】
【技術分野】
【０００１】
関連出願に対する相互引用
[001]  本願は、２０１７年７月２８日に出願され、“ENERGY STORAGE DEVICE, SYSTEMS AND METHODS FOR MONITORING AND PERFORMING DIAGNOSTICS ON POWER DOMAINS”（電力ドメインにおいて監視し診断を行うエネルギ蓄積デバイス、システム、および方法）と題する米国仮特許出願第６２／５３８，６２２号、２０１８年４月１９日に出願され、“SYSTEMS AND METHODS FOR MONITORING BATTERY PERFORMANCE”（バッテリ性能を監視するシステムおよび方法）と題する米国仮特許出願第６２/６５９，９２９号、２０１８年４月１９日に出願され、“SYSTEMS AND METHODS FOR ANALYSIS OF MONITORED TRANSPORTATION BATTERY DATA”（監視対象輸送バッテリ・データの分析システムおよび方法）と題する米国仮特許出願第６２/６６０，１５７号、および２０１８年６月１日に出願され、“DETERMINING THE STATE OF CHARGE OF A DISCONNECTED BATTERY”（切断されたバッテリの充電状態の判定）と題する米国仮特許出願第６２/６７９，６４８号の優先権ならびに権利を主張する。以上の出願をここで引用したことにより、各々の内容があらゆる目的に対して、本願にも含まれるものとする（あらゆる主題の免責事項および否認を除き、更に、本願に含まれるものとした資料(material)が本明細書における明白な開示と一致しない場合を除く。その場合、本開示における文言が統制する）。
【０００２】
技術分野
[002]  本開示は、全般的には、エネルギ蓄積デバイスの監視に関し、特に、始動バッテリのクランク健全性(crank health)の判定に関する。
【従来技術】
【０００３】
[003]  鉛酸エネルギ貯蔵デバイス(lead acid energy storage devices)が普及しており、１００年をはるかに超える間種々の用途に使用されてきた。場合によっては、エネルギ蓄積デバイスの状態を評価するために、これらのエネルギ蓄積デバイスを監視することもあった。しかしながら、これら先行技術の監視技法は、通例非常に複雑で高価であるため、その使用が限られ、特に、度数が少ない遠隔地での使用(low value remote applications)では得られるデータの量が少ない。例えば、通常、特定のエネルギ蓄積デバイスの製品寿命(the life of its application)にわたる履歴について十分なデータがない。更に、エネルギ蓄積システムについてのデータを収集するために、少ない数の場合、エネルギ蓄積デバイスがセンサに結合されることがあるが、大多数のデバイスおよび／または地理的に分散されたシステムでは、通例行われない。多くの場合、先行技術の監視によって得られる限られたデータでは、分析、行動、通知、および判定をサポートするには不十分であるが、十分に得られるのであれば(otherwise)そうすることが望まれるのはもっともである。同様の限界が非鉛酸エネルギ蓄積デバイスにも存在する。具体的には、これらのバッテリは、それらの高いエネルギおよびパワーのために、種々の新たな移動体用途に導入されているが、従前からの監視システムには適していない。したがって、例えば、様々なおよび／または離れた地理的位置における管理を含む、１つ以上のエネルギ蓄積デバイスの管理において新たな機会を与えるために、エネルギ蓄積デバイス（具体的には、バッテリ）を監視する新たなデバイス、システム、および方法が求められ続けている。
【発明の概要】
【課題を解決するための手段】
【０００４】
[004]  実施形態例では、実際のクランク状態に基づいて、内燃エンジンを始動させるために電気始動モータに接続されたバッテリの能力(ability)（クランク健全性）を判定する方法を開示する。バッテリは、１つのモノブロック、あるいは直列または並列に電気的に接続された複数のモノブロックである。この方法は、内燃エンジンをクランキングする時点におけるバッテリの温度を表すバッテリ温度データを受けるステップと、バッテリから監視された電圧データを受けるステップと、内燃エンジンをクランキングする時間中にバッテリの瞬時最小電圧を判定するステップと、バッテリ温度データおよびバッテリの瞬時最小電圧に基づいて、内燃エンジンをクランキングするバッテリの能力(capability)を判定するステップとを含むことができる。
【０００５】
[005]  実施形態例では、実際のクランク状態に基づいて、電気始動モータに接続されたバッテリが内燃エンジンを始動させる能力（クランク健全性）を判定する方法を開示する。バッテリは、１つのモノブロック、あるいは直列または並列に電気的に接続された複数のモノブロックである。この方法は、バッテリ電圧の監視に基づいてクランク・イベントを検出するステップと、クランク・イベント中におけるバッテリ温度（クランク温度）およびバッテリ電圧（クランク電圧）を検知するステップと、クランク温度およびクランク電圧を、クランク・インベントと関連付けて格納するステップと、クランク温度およびクランク電圧における変化の分析に基づいて、バッテリのクランク健全性を判定するステップとを含むことができる。
【０００６】
[006]  実施形態例では、電気始動モータに接続されたバッテリの内燃エンジンを始動させる能力（クランク健全性）を評価する方法を開示する。バッテリは、１つのモノブロック、あるいは直列または並列に電気的に接続された複数のモノブロックである。この方法は、バッテリ電圧の監視に基づいてクランク・イベントを検出するステップと、クランク・イベント中におけるバッテリ温度（クランク温度）およびバッテリ電圧（クランク電圧）を検知するステップと、クランク温度およびクランク電圧に基づいてバッテリのクランク健全性を判定するステップと、現在のクランク健全性および／または予測された今後のクランク健全性の通知を生成するステップとを含むことができる。
【０００７】
[007]  この章の内容は、開示に対する単純化した緒言であることを意図しており、いずれの請求項の範囲をも限定することは意図していない。
【図面の簡単な説明】
【０００８】
【図１Ａ】図１Ａは、種々の実施形態による、バッテリ監視回路が内部に配置されているモノブロックを示す。
【図１Ｂ】図１Ｂは、種々の実施形態による、バッテリ監視回路が結合されているモノブロックを示す。
【図２Ａ】図２Ａは、種々の実施形態による、複数のモノブロックを備え、各モノブロックが内部にバッテリ監視回路が配置されているバッテリを示す。
【図２Ｂ】図２Ｂは、種々の実施形態による、複数のモノブロックを備え、バッテリ監視回路に結合されているバッテリを示す。
【図３】図３は、種々の実施形態にしたがって、バッテリを監視する方法を示す。
【図４Ａ】図４Ａは、種々の実施形態によるバッテリ監視システムを示す。
【図４Ｂ】図４Ｂは、種々の実施形態によるバッテリ監視システムを示す。
【図４Ｃ】図４Ｃは、種々の実施形態によるバッテリ動作履歴行列を示し、列がある範囲の電圧測定値を表し、行がある範囲の温度測定値を表す。
【図４Ｄ】図４Ｄは、種々の実施形態による、内部にバッテリ監視回路が配置され、バッテリが負荷および／または電源に結合され、種々のローカルおよび／またはリモート電子システムと通信接続するバッテリを示す。
【図５】図５は、Ｍ×Ｎ行列を形成するＭ行およびＮ列を有するクランク行列を示す。
【図６】図６は、種々の実施形態にしたがって、バッテリのクランク健全性を判定する方法を示す。
【発明を実施するための形態】
【０００９】
[0019]  詳細な説明は、例示として、最良の態様を含む実施形態を示す。これらの実施形態について、当業者が本開示の原理を実用化することを可能にする程度に十分詳細に説明するが、他の実施形態も実現できること、そして本開示の原理の主旨および範囲から逸脱することなく、論理的、機械的、化学的、および／または電気的変更が行われてもよいことは理解されてしかるべきである。したがって、本明細書における詳細な説明は、例示のためのみに提示されるのであって、限定のためではない。例えば、方法の説明では、そのいずれにおいて列挙されるステップも、任意の適した順序で実行することができ、提示される順序に限定されるのではない。
【００１０】
[0020]  更に、簡潔さのために、個々のコンポーネントの特定のサブコンポーネント、およびシステムの他の態様については、本明細書では詳細に説明しない場合もある。尚、多くの代わりのまたは追加の機能関係あるいは物理的結合が、実際のシステム、例えば、バッテリ監視システムに存在してもよいことは注記してしかるべきである。このような機能ブロックは、指定された機能を実行するように構成された任意の数の適したコンポーネントによって実現することができる。
【００１１】
[0021]  本開示の原理は、例えば、バッテリの電荷を時ならず漏洩させる可能性がある電流センサのような、監視コンポーネントを除外することによって、バッテリの動作を改善する。更に、バッテリ耐用期間の初日から再利用または廃棄されるまで、バッテリを監視し、関連するデータを格納／送信することができるように、 製造時にバッテリ内部にバッテリ監視回路を埋め込むことができる。更に、本開示の原理は、移動体通信デバイスおよび／またはバッテリ監視回路のような、種々のコンピューティング・デバイスの動作を、多くの方法で改善する。例えば、新規の行列状データベースにバッテリ履歴情報を密集して格納することによって、バッテリ監視回路によって利用されるメモリを減らし、こうして製造費用を削減し、動作電流の引き出しを減少させ、バッテリ監視回路の動作寿命を延長させる。１つの移動体通信デバイスにより複数のモノブロックの監視および／または制御を容易にして、効率およびスループットを向上させる。１つ以上のバッテリおよびリモート・デバイスをリンクするネットワークを通じて送信されるデータ量を減らし、こうしてネットワークを解放して他の送信データを搬送し、および／または関連データを一層素早く搬送し、更に通信コストを著しく削減する。
【００１２】
[0022]  加えて、本開示の原理は、バッテリに結合されたおよび／または関連付けられたデバイス、例えば、セルラ無線基地局、電気フォークリフト、電動自転車等のデバイスの動作を改善する。
【００１３】
[0023]  更にまた、本開示の原理の応用により、実世界における物体(objects)を変形および変更する。例えば、アルゴリズム例の一部として、充電電流の印加によって、鉛酸モノブロックにおける硫酸鉛を、鉛、二酸化鉛、および硫酸に変換させ、こうして部分的に枯渇した鉛蓄電池(lead-acid battery)を、完全に充電された蓄電池に変換する。更に、他のアルゴリズム例の一部として、倉庫において種々のモノブロックを物理的に配置し直し、再充電し、工場から除去または交換することもでき、こうして工場においてモノブロックの新たな全体的構成を作成する。
【００１４】
[0024]  尚、エネルギ蓄積デバイスの監視、保守、および／または使用のために、種々の他の手法が存在することは認められよう。したがって、本明細書において特許請求するシステムおよび方法は、このような分野や技法の全てを先取りするのではなく、むしろ技術的改善、時間およびコストの節約、環境的利益、バッテリの長寿命化(improved battery life)等を提供する種々の具体的な前進を表す。加えて、本明細書において開示する種々のシステムおよび方法は、このような望ましい利益を提供しつつ、同時に、以前の監視システムにおいてよく見かける、費用がかかり電力を漏洩させるコンポーネント、即ち、電流センサを排除することが認められよう。言い換えると、種々のシステム例および方法例は、ほぼ全ての以前の手法とは全く対照的に、電流センサおよび／またはそこから得られる情報を利用せず、これらを用いずに構成される。
【００１５】
[0025]  例示的な実施形態では、バッテリ監視回路を開示する。このバッテリ監視回路は、バッテリからのおよび／またはバッテリについての特定の情報、例えば、バッテリからの日時、電圧、および温度情報を検知、記録、および／または有線もしくはワイヤレスで伝達するように構成することができる。
【００１６】
[0026]  例示的な実施形態では、モノブロックは、少なくとも１つの電気化学セル、通例では、複数の電気化学セルを備えるエネルギ蓄積デバイスである。本明細書において使用する場合、「バッテリ」という用語は、１つのモノブロックを意味することができ、あるいは直列および／または並列に電気的に接続された複数のモノブロックを意味することができる。直列および／または並列に電気的に接続された複数のモノブロックを備える「バッテリ」は、他の文献では「バッテリ・パック」と呼ばれる場合もある。バッテリは、正端子および負端子を備えることができる。更に、種々の例示的な実施形態では、バッテリが複数の正および負端子を備えてもよい。例示的な実施形態では、バッテリ監視回路はバッテリ内部に配置され、例えば、バッテリ筐体の内側に位置付けられまたは埋め込まれ、有線接続を通じてバッテリ端子に接続される。他の例示的な実施形態では、バッテリ監視回路は、バッテリに接続され、例えば、バッテリの筐体の外部側に結合され、有線接続を通じてバッテリの端子に接続される。
【００１７】
[0027]  実施形態では、バッテリ監視回路は、種々の電気コンポーネント、例えば、電圧センサ、温度センサ、命令を実行するプロセッサ、データおよび／または命令を格納するメモリ、アンテナ、ならびに送信機／受信機／送受信機を備える。ある例示的な実施形態では、バッテリ監視回路は、クロック、例えば、リアル・タイム・クロックも含んでもよい。更に、バッテリ監視回路は、測位コンポーネント、例えば、汎地球測位システム（ＧＰＳ）受信回路も含んでもよい。
【００１８】
[0028]  特定の実施形態例では、バッテリ監視回路は、バッテリの正端子と負端子（複数の端子）間の電圧を監視するために、バッテリへの有線電気接続が構成された電圧センサを備えてもよい。更に、バッテリ監視回路は、バッテリの温度（および／またはバッテリに関連付けられた温度）を監視する温度センサを備えてもよい。バッテリ監視回路は、電圧センサからの監視電圧信号を受け、温度センサから監視温度センサを受け、監視電圧信号および監視温度センサを処理し、監視電圧信号および監視温度信号に基づいて、電圧データおよび温度データを生成し、他の機能および命令を実行するプロセッサを備えてもよい。
【００１９】
[0029]  種々の実施形態例では、バッテリ監視回路は、データ、例えば、バッテリからの（および／またはバッテリに関連付けられた）電圧データおよび温度データを格納するメモリを備える。更に、メモリは、プロセッサによる実行のための命令、外部デバイスから受けるデータおよび／または命令等も格納することができる。例示的な実施形態では、電圧データはバッテリの両端子間の電圧を表し、温度データは、バッテリ上および／またはバッテリ内における特定の位置で測定された温度を表す。更にまた、バッテリ監視回路は、例えば、電圧データおよび温度データというようなデータをリモート・デバイスにワイヤレスで伝達し、更にデータおよび／または命令を受信するアンテナならびに送受信機を備えてもよい。あるいは、バッテリ監視回路は、例えば、電圧データおよび温度データをリモート・デバイスに有線接続を通じて伝達するため、および／またはデータおよび／または命令を受信するために、バッテリおよび／またはリモート・デバイスへの有線接続を含んでもよい。例示的な一実施形態では、バッテリ監視回路は電圧データおよび温度データをワイヤレスでアンテナを通じてリモート・デバイスに送信する。他の例示的な実施形態では、バッテリ監視回路は、電圧データおよび温度データを、有線接続を通じて、リモート・デバイスに送信する。例示的な実施形態では、バッテリ監視回路は、バッテリの外部に配置され、バッテリに電気的に配線されるように構成される。
【００２０】
[0030]  バッテリ監視回路は、例示的な一実施形態では、種々のコンポーネントを回路ボードに結合することによって形成されてもよい。例示的な実施形態では、バッテリ監視回路は、更に、リアル・タイム・クロックを内蔵する。リアル・タイム・クロックは、例えば、バッテリについての電圧および温度データの収集時点を正確に決めるために使用することができる。本明細書において説明するように、バッテリ監視回路をバッテリ内部に位置付けて、バッテリの内部温度を検知するように構成されてもよい。あるいは、バッテリ監視回路は、バッテリの外部に位置付けられ、バッテリの外部温度を検知するように構成されてもよい。他の例示的な実施形態では、バッテリ監視回路は、モノブロック内部に位置付けられ、モノブロックの内部温度を検知する。更に他の例示的な実施形態では、バッテリ監視回路は、モノブロックに結合され、モノブロックの外部温度を検知する。バッテリ監視回路の有線および／またはワイヤレス信号は、本明細書において更に説明するように、種々の有用なアクションおよび判断の基礎になることができる。
【００２１】
[0031]  これより図１Ａおよび図１Ｂを参照すると、例示的な実施形態において、バッテリ１００はモノブロックを構成することができる。このモノブロックは、例示的な実施形態では、エネルギ蓄積デバイスとして定められてもよい。このモノブロックは、少なくとも１つの電気化学セル（図示せず）を含む。種々の実施形態例では、モノブロックは、例えば、所望の電圧および／または電流供給能力(capability)をモノブロックに装備する(configure)ために、複数の電気化学セルを含む。種々の例示的な実施形態では、電気化学セル（１つまたは複数）は、鉛型電気化学セルである。任意の適した鉛電気化学セルを使用すればよいが、例示的な一実施形態では、電気化学セルはグラスマット吸収式（ＡＧＭ： absorbent glass mat）設計である。他の例示的な実施形態では、鉛酸電気化学セルはゲル式設計である。他の例示的な実施形態では、鉛酸電気化学セルは満液（半密閉）式設計である。しかしながら、本開示の種々の原理は、ニッケル−カドミウム（ＮｉＣｄ）、ニッケル水素（ＮｉＭＨ： nickel metal hydride）、リチウム・イオン、コバルト酸リチウム、燐酸鉄リチウム、マンガン酸リチウム・イオン(lithium ion manganese oxide)、コバルト酸リチウム・ニッケル・マンガン(lithium nickel manganese cobalt oxide)、アルミニウム酸リチウム・ニッケル・コバルト、チタン酸リチウム、リチウム硫黄、再充電可能アルカリ等を含むがこれらに限定されない、種々のバッテリ化学に適用可能であり、したがって、鉛蓄電池(lead-acid batteries)を対象とする本明細書における論述は、一例とて提示されるのであって、限定としてではないことは認められよう。
【００２２】
[0032]  バッテリ１００は筐体１１０を有してもよい。例えば、バッテリ１００には、耐久性のある材料で作られた、密閉式モノブロック鉛エネルギ蓄積ケースを装備してもよい。バッテリ１００は、更に、正端子１０１および負端子１０２を含むことができる。この密閉ケースは開口を有するとよく、この開口を、正端子１０１および負端子１０２が挿通する。
【００２３】
[0033]  これより図２Ａおよび図２Ｂを参照すると、バッテリ２００は、複数の電気的に接続されたモノブロック、例えば、バッテリ１００を含むことができる。バッテリ２００におけるモノブロックは、並列および／または直列に電気的に接続することができる。例示的な実施形態では、バッテリ２００は、少なくとも１列の(one string)モノブロックを含むことができる。例示的な実施形態では、第１列は、直列に電気的に接続された複数のモノブロックを含んでもよい。他の例示的な実施形態では、第２列が直列に電気的に接続された複数のモノブロックを含んでもよい。１列よりも多いモノブロックがバッテリ内にある場合、第１、第２、および／または追加の列を並列に電気的に接続することができる。モノブロックの直列／並列接続は、例えば、バッテリ２００に所望の電圧および／または電流特性あるいは供給能力を達成するために、最終的に、バッテリ２００の正端子２０１および負端子２０２に接続することができる。したがって、例示的な実施形態では、バッテリ２００は１つよりも多いモノブロックを含む。また、バッテリ２００を本明細書ではパワー・ドメイン(power domain)と呼ぶこともある。
【００２４】
[0034]  バッテリ２００は、キャビネットまたは筐体２１０を有してもよい。例えば、バッテリ２００は、バッテリを保護し、その動作に適した環境を得るために、熱および機械的構造を含んでもよい。
【００２５】
[0035]  これより図１Ａ、図１Ｂ、図２Ａ、および図２Ｂを参照すると、用途例において、バッテリ１００／２００は、バックアップ・パワー（無停電電源即ちＵＰＳとしても知られている）のために使用することもできる。更に、バッテリ１００／２００は、セルラ無線基地局の用途において使用することもでき、パワー・グリッドに（例えば、整流器／反転器を介して交流に、ＤＣマイクログリッドに等）接続することもできる。他の例示的な実施形態では、バッテリ１００／２００は、ＡＣパワー・グリッドに接続され、ピーク・シェービング(peak shaving)、要求管理、電力規制、周波数応答、および／または無効電力供給(reactive power supply)というような用途に使用される。他の例示的な実施形態では、バッテリ１００／２００は、原動力を種々の車両（自転車のような）に供給する駆動システム、工業用機器（フォークリフトのような）、ならびに路上の小型、中型、および大型車両に接続される。他の用途例では、バッテリ１００／２００は、短期または長期的にエネルギ蓄積が望まれる、任意の適した用途に使用することができる。バッテリ１００／２００は、単独商品として商用に出荷されてもよく、（多くの他のモノブロックと共にパレット上でというように）、他のモノブロックと共に商用に出荷されてもよく、またはバッテリの一部（例えば、バッテリ２００を形成する複数のバッテリ１００）として他のモノブロックと共に商用に出荷されてもよい。
【００２６】
[0036]  例示的な実施形態では、バッテリ監視回路１２０は、バッテリ１００内部に配置され内部で接続されてもよい。あるいは、バッテリ監視回路１２０は、バッテリ１００／２００に結合され、外部で接続されてもよい。例示的な実施形態では、図１Ａに示すように、１つのバッテリ監視回路１２０が１つのモノブロック（バッテリ１００参照）内部に配置され、これと関連付けられてもよい。他の例示的な実施形態では、図１Ｂに示すように、１つのバッテリ監視回路１２０が１つのモノブロック（バッテリ１００参照）に結合され、これと関連付けられてもよい。他の例示的な実施形態では、図２Ａに示すように、各々バッテリ監視回路１２０が内部に配置されている複数のバッテリ１００が、１つのバッテリ２００内部に配置され、その一部を構成してもよい。他の例示的な実施形態では、図２Ｂに示すように、１つのバッテリ監視回路１２０が外部で１つのバッテリ２００に結合され、これと関連付けられてもよい。更に他の例示的な実施形態では、１つよりも多いバッテリ監視回路１２０が、１つのバッテリの内部に配置され、その１つ以上の部分に接続される。例えば、第１バッテリ監視回路をバッテリの第１モノブロック内部に配置し、これに接続することができ、第２バッテリ監視回路をバッテリの第２モノブロック内部に配置し、これに接続することができる。バッテリに外部で結合された複数のバッテリ監視回路１２０を関連付けるためには、同様の手法が採用されてもよい。
【００２７】
[0037]  バッテリ監視回路１２０は、電圧センサ１３０、温度センサ１４０、プロセッサ１５０、送受信機１６０、アンテナ１７０、および記憶媒体またはメモリ（図には示されていない）を含むことができる。例示的な実施形態では、バッテリ監視回路１２０は、モノブロックまたはバッテリ１００／２００に関連する電圧および温度を検知し、検知した電圧および温度をメモリ内に、これらの読み取り値の関連時刻と共に格納し、電圧および温度データを（それらの関連する時刻と共に）バッテリ監視回路１２０から１つ以上の外部位置に送信するように構成される。
【００２８】
[0038]  例示的な実施形態では、電圧センサ１３０は、ワイヤによってバッテリ１００／２００の正端子１０１／２０１に、そしてワイヤによってバッテリ１００／２００の負端子１０２／２０２に電気的に接続することができる。例示的な実施形態では、電圧センサ１３０は、バッテリ１００／２００の電圧を検知するように構成される。例えば、電圧センサ１３０は、正端子１０１／１０２と負端子１０２／２０２との間の電圧を検知するように構成されてもよい。例示的な実施形態では、電圧センサ１３０は、アナログ／ディジタル変換器を含む。しかしながら、バッテリ１００／２００の電圧を検知するのに適したデバイスであれば、任意のものを使用することができる。
【００２９】
[0039]  例示的な実施形態では、温度センサ１４０はバッテリ１００／２００の温度測定値を検知するように構成される。例示的な一実施形態では、温度センサ１４０は、バッテリ１００／２００のある位置または内部の温度測定値を検知するように構成されてもよい。温度測定値を取り込む位置は、温度測定値が、バッテリ１００／２００を構成する電気化学セルの温度を反映するように、選択することができる。他の例示的な実施形態では、温度センサ１４０は、バッテリ１００／２００上または外側の位置において温度測定値を検知するように構成されてもよい。温度測定値を取り込む位置は、温度測定値が主にバッテリ１００／２００自体を構成する電気化学セルの温度を反映し、近隣のバッテリまたは環境温度によって間接的にのみ影響を受ける、二次的にのみ影響を受ける、またはさほど影響を受けないように選択することができる。種々の実施形態では、バッテリ監視回路１２０は、バッテリ１００／２００の内側に配置されるように構成される。更に、種々の例示的な実施形態では、バッテリ１００／２００の内部にバッテリ監視回路１２０が存在することは、バッテリ１００／２００の外部目視検査によって、目視可能または検出可能でなくてもよい。他の例示的な実施形態では、バッテリ監視回路１２０は、バッテリ１００／２００の外側に配置されるように構成され、例えば、バッテリ１００／２００に取り付けられるように、バッテリ１００／２００にワイヤによって電気的に接続されるように構成され、および／またはバッテリ１００／２００の正および負端子に電気的に接続されたままになるように、バッテリ１００／２００と共に移動するように構成される。
【００３０】
[0040]  例示的な実施形態では、温度センサ１４０は、バッテリ１００／２００上または外側の位置において温度測定値を検知するように構成されてもよい。温度測定値を取り込む位置は、温度測定値が主にバッテリ１００／２００自体の温度を反映し、近隣のモノブロックまたは環境温度によって間接的にのみ影響を受ける、二次的にのみ影響を受ける、またはさほど影響を受けないように選択することができる。例示的な実施形態では、温度センサ１４０は、熱電対、サーミスタ、温度検知集積回路等を含む。特定の例示的な実施形態では、温度センサ１４０は、バッテリ１００／２００の正または負端子へのバッテリ監視回路１２０の接続に埋め込まれる。
【００３１】
[0041]  例示的な実施形態では、バッテリ監視回路１２０は、電圧センサ、温度センサ、プロセッサ、記憶媒体、送受信機、アンテナ、および／または他の適したコンポーネントを支持し電気的に結合するために印刷回路ボードを含む。他の例示的な実施形態では、バッテリ監視回路１２０は筐体（図示せず）を含む。筐体は、バッテリ監視回路１２０内にある電子部品を保護するのに適した任意の材料、例えば、耐久性プラスチックで作ることができる。筐体は、任意の適した形状またはフォーム・ファクタで作ることができる。例示的な実施形態では、バッテリ監視回路１２０の筐体は、バッテリ１００／２００の外部に取り付けられるまたはバッテリ１００／２００の内側に配置されるように構成され、例えば、接着材、注封材料、ボルト、螺旋、クランプ等によって固定することができる。更に、バッテリ１００／２００上、その近く、および／またはその内部において、バッテリ監視回路１２０を所望の位置および／または向きに保持するために、任意の取り付けデバイスまたは方法を使用することができる。このように、バッテリ１００／２００を輸送する、設置する、利用する等の際に、バッテリ監視回路１２０はその内部に固定して配置され、および／またはそれに結合され続け、こうしてバッテリと共に動作可能であり続ける。例えば、バッテリ監視回路１２０は、バッテリ１００／２００に直接取り付けられなくてもよいが、バッテリと共に移動するように、それに隣接して配置されればよい。例えば、バッテリ１００／２００を内蔵する工業用フォークリフトのフレームまたは本体に、バッテリ監視回路１２０が結合されてもよい。
【００３２】
[0042]  例示的な実施形態では、バッテリ監視回路１２０は、更に、インターネットのような公衆ネットワークを通じてアクセス可能な時間信号のような、外部時間標準に対するあらゆる接続（有線またはワイヤレス）と独立した、協定世界時（ＵＴＣ）のような、標準時間に引用される時間を維持することができる、リアル・タイム・クロックを含む。このクロックは、現在の日時（または相対時刻）をプロセッサ１５０に供給するように構成される。例示的な実施形態では、プロセッサ１５０は、電圧および温度測定値を受け、記憶媒体内に、データが検知／格納された時刻と関連付けて、電圧および温度データを格納するように構成される。例示的な実施形態では、電圧、温度、および時間データは、データベース、フラット・ファイル、二進のブロブ、あるいは任意の他の適したフォーマットまたは構造の形態で記憶媒体に格納することができる。更に、プロセッサ１５０は、追加のデータを記憶媒体にログの形態で格納するように構成されてもよい。例えば、プロセッサは、設定可能な量だけ電圧および／または温度が変化したとき毎に、記録してもよい。例示的な実施形態では、プロセッサ１５０は、最後に測定したデータを、最新の測定データと比較し、最新の測定データが最後の測定データから少なくともこの設定可能な量だけ変動した場合にのみ、最新の測定データを記録する。この比較は、任意の適した間隔で、例えば、毎秒、５秒毎、１０秒毎、３０秒毎、毎分、１０分毎等に行うことができる。記憶媒体は、バッテリ監視回路１２０上に配置されてもよく、または離れていてもよい。プロセッサ１５０は、更に、追加の分析、報告、および／または措置(action)のために、記録した温度／電圧データをリモート・デバイスに（ワイヤレスでまたは有線接続によって）で送信するように構成することもできる。例示的な実施形態では、リモート・デバイスは、送信されたデータ・ログを、以前に送信されたログと共に編成し(stitch)、時間的に連続するログを形成するように構成することができる。このように、バッテリ監視回路１２０上におけるログのサイズ（そして、それを格納するために必要なメモリ）を最小にすることができる。プロセッサ１５０は、更に、リモート・デバイスから命令を受信するように構成することもできる。またプロセッサ１５０は、データを信号に入れて送受信機１６０に供給することによって、時間、温度、および電圧データをバッテリ監視回路１２０から送信するように構成することもできる。
【００３３】
[0043]  他の例示的な実施形態では、バッテリ監視回路１２０は、リアル・タイム・クロックを用いずに構成される。代わりに、プロセッサ１５０によって制御される一定時間間隔でデータをサンプリングする。各間隔には、一意にそれを識別できるように、連続番号が順次付番される。サンプリングされたデータは全て記録することができる。代わりに、設定可能な量よりも多く変化したデータのみを記録してもよい。周期的に、バッテリ監視回路１２０が、インターネットを通じてアクセス可能なネットワーク時間信号のような、時間標準に接続されるときに、プロセッサ時間を、時間標準によって表されるリアル・タイムと同期させる。しかしながら、双方の場合において、データがサンプリングされた間隔の連続番号も、データと共に記録される。すると、これにより、データ・サンプル間の時間間隔が固定され、バッテリ監視回路１２０上にリアル・タイム・クロックを設ける必要がなくなる。データ・ログをリモート・デバイスに送信するとき、間隔をリモート・デバイス（本明細書において更に説明する）と同期させる。リモート・デバイスは、例えば、インターネット接続を通じて同期されたリアル・タイム（例えば、ＵＴＣ）を維持する。このように、リモート・デバイスは、バッテリ監視回路１２０およびプロセッサ１５０との同期を通じて、タイミングを得る(provide time)ように構成される。バッテリ監視回路１２０またはリモート・デバイスに格納されたデータは、モノブロックが特定の温度および／または電圧において費やした累計時間量を含んでもよい。また、プロセッサ１５０は、データを信号に入れて送受信機１６０に供給することによって、累計時間、温度、および電圧データをバッテリ監視回路１２０から送信するように構成することもできる。
【００３４】
[0044]  例示的な実施形態では、バッテリについての時間、温度、および電圧データをファイル、データベース、または行列に格納することができ、例えば、１つの軸上にある範囲の電圧、第２軸上にある範囲の温度を示す。この表のセルは、バッテリが特定の電圧／温度状態で費やした時間量を表すために、各セルにおいてカウンタを増分するように構成される（即ち、バッテリ動作履歴行列を形成するため）。バッテリ動作履歴行列は、バッテリ監視回路１２０のメモリおよび／またはリモート・デバイスに格納することができる。例えば、そして図４Ｂを端的に参照すると、バッテリ動作履歴行列の一例４５０は、列４６０を含み、各列は特定の電圧またはある範囲の電圧測定値を表す。例えば、第１列が０ボルトから１ボルトまでの電圧範囲を表すのでもよく、第２列が１ボルトから９ボルトまでの電圧範囲を表すのでもよく、第３列が９ボルトから１０ボルトまでの電圧範囲を表すのでもよい等である。更に、バッテリ動作履歴行列４５０は、行４７０も含むことができ、各行は、特定の温度（＋／−）またはある範囲の温度測定値を表す。例えば、第１行が１０°Ｃ未満の温度を表してもよく、第２行が１０°Ｃから２０°Ｃまでの範囲の温度を表してもよく、第３行が２０°Ｃから３０°Ｃまでの範囲の温度を表してもよい等である。任意の適した列／行の規模および数を使用することができる。例示的な実施形態では、バッテリ動作履歴行列４５０は、バッテリが各指定電圧／温度状態にあった時間量の累積履歴を格納する。言い換えると、バッテリ動作履歴行列４５０は、バッテリが特定の電圧／温度範囲にあった時間量を集計する（または相関付ける）。具体的には、このようなシステムは、記録するデータの長さに関係なく、記憶サイズが増大しない（または僅かな量だけ増大する）ので、特に有利である。バッテリ動作履歴行列４５０によって占有されるメモリは、多くの場合、電圧／温度データを集計し始める最初の日のサイズが、数年後またはバッテリの寿命に近いときと同じサイズである。尚、この技法を使用しない実施態様と比較して、この技法は、このデータを格納するために必要とされるメモリのサイズおよび電力を削減し、こうしてバッテリ監視回路１２０のコンピューティング・デバイスの動作を大幅に改良することは認められよう。更に、バッテリ電圧／温度データを周期的にリモート・デバイスに送信することもできる。これは効果的にデータを振り分け(gate)、振り分けしない技法と比較すると、データを格納しデータを送信するために必要とされる電力を削減し、メモリのサイズを縮小し、データ送信時間を短縮する。
【００３５】
[0045]  例示的な実施形態では、送受信機１６０は任意の適した送信機および／または受信機であってもよい。例えば、送受信機１６０は、信号をアンテナ１７０を通じて送信しおよび／または信号をアンテナ１７０から受信するために信号をアップコンバートし、信号をダウンコンバートしてそれをプロセッサ１５０に供給するように構成することができる。例示的な実施形態では、送受信機１６０および／またはアンテナ１７０は、バッテリ監視回路１２０とリモート・デバイスとの間で信号をワイヤレスで送信および受信するように構成することができる。ワイヤレス送信は、無線周波数通信、Ｗｉ−Ｆｉ、Ｂｌｕｅｔｏｏｔｈ（登録商標）、Ｂｌｕｅｔｏｏｔｈ  Ｌｏｗ  Ｅｎｅｒｇｙ（ＢＬＥ）、Ｂｌｕｅｔｏｏｔｈ  Ｌｏｗ  Ｐｏｗｅｒ（ＩＰｖ６／６ＬｏＷＰＡＮ）、セルラ無線通信規格（２Ｇ、３Ｇ、４Ｇ、ＬＴＥ、５Ｇ等）等のような、任意の適した通信規格を使用して行うことができる。例示的な実施形態では、バッテリ監視回路によって引き出される電力を低く抑えるために、ワイヤレス通信は、低電力、短距離信号を使用して行われる。例示的な一実施形態では、プロセッサ１５０は、電力消費を最小に抑えるまたは低減するのに適したスケジュールで、起動し、ワイヤレスで通信し、休止状態に戻るように構成される。これは、バッテリ監視回路１２０によってバッテリの監視がバッテリを時ならずに漏洩させるのを防止するためには望ましい。起動／休止およびデータ振り分け機能というような、バッテリ監視回路１２０の機能は、バッテリ１００／２００を漏洩させることなく、温度および電圧データを精度高く検知し報告するのに役立つ。種々の例示的な実施形態では、バッテリ監視回路１２０は、それが内部に配置されている、および／または監視のために結合されているバッテリによって給電される。他の例示的な実施形態では、バッテリ監視回路１２０は、グリッドまたは他の電源、例えば、ローカル電源、ソラー・パネル、燃料電池、誘導性ＲＦ環境発電回路等によって給電される。
【００３６】
[0046]  ある例示的な実施形態では、Ｂｌｕｅｔｏｏｔｈプロトコルの使用により、１つのリモート・デバイスが、複数のバッテリ（各々、バッテリ監視回路１２０が装備されている）と相関付けられた複数の信号を受信し処理し易くなり、信号の干渉なくそのようにする。このリモート・デバイスと、各々バッテリ監視回路１２０が装備された、複数のバッテリとの間における１対多数の関係は、貯蔵および出荷チャネルにおけるバッテリの監視には、格別に有利である。
【００３７】
[0047]  例示的な実施形態では、バッテリ監視回路１２０はバッテリ内部に配置される。例えば、バッテリ監視回路１２０は、バッテリ１００の筐体の内部に配置されてもよい。種々の実施形態では、バッテリ監視回路１２０は、モノブロックまたはバッテリの内部に配置される。バッテリ監視回路１２０は、視野から隠れてもよく、バッテリ１００の外側から接近できなくてもよい。これは、ユーザによる改竄を防止し、したがって行われる報告の信頼性を高めることができる。バッテリ監視回路１２０は、バッテリ１００の蓋の真下、相互接続ストラップ（リード相互接続バー）に近接して等に位置付けてもよい。このように、電気化学セルおよび相互接続ストラップの出力の熱によるモノブロックの温度を精度高く測定することができる。
【００３８】
[0048]  他の例示的な実施形態では、バッテリ監視回路１２０は、バッテリの外部に配置される。例えば、バッテリ監視回路１２０は、バッテリ１００／２００の外側に取り付けられてもよい。他の例では、バッテリ監視回路１２０は、バッテリ１００／２００に近接して配置され、電圧センサ１３０はバッテリ１００／２００の正および負端子に配線される。他の例示的な実施形態では、バッテリ監視回路１２０は、バッテリ１００／２００と共に移動するように、バッテリ１００／２００に接続することができる。例えば、バッテリ監視回路１２０が車両のフレームに接続され、バッテリ１００／２００が車両のフレームに接続されている場合、双方は一緒に移動し、電圧および温度監視回路１３０および１４０は、車両が移動するに連れて、これらの適正な機能を実行し続けることができる。
【００３９】
[0049]  例示的な実施形態では、温度センサ１４０は、モノブロックの端子の内１つの温度を検知するように構成されてもよい。他の例示的な実施形態では、温度センサ１４０は、バッテリ内にある２つのモノブロック間の位置または空間における温度、あるいは複数のモノブロックを内蔵するバッテリにおける空気温度、モノブロックの壁の概略的に中央部に配置位置おける温度等を測定するように構成されてもよい。このように、バッテリ監視回路１２０によって検知された温度は、バッテリ１００／２００および／またはその中にある電気化学セルの温度を一層良く表すことができる。更に、温度センサ１４０は、モノブロックまたはバッテリに関連付けられた温度を検知するために、モノブロックまたはバッテリの内側における任意の適した位置に配置されてもよい。あるいは、温度センサ１４０は、モノブロックまたはバッテリに関連する温度を検知するために、モノブロックまたはバッテリの外側における任意の適した位置に配置されてもよい。
【００４０】
[0050]  一例として、これより図３を参照すると、少なくとも１つの電気化学セルを含むバッテリ１００／２００を監視する例示的な方法３００は、バッテリ端子に配線された電圧センサ１３０によってバッテリ１００／２００の電圧を検知するステップ（ステップ３０２）と、この電圧と、電圧を検知した時刻とを記憶媒体に記録するステップ（ステップ３０４）と、バッテリ１００／２００内部および／またはバッテリ１００／２００上に配置された温度センサ１４０によって、バッテリ１００／２００に関連する温度を検知するステップ（ステップ３０６）と、この温度と、温度を検知した時刻とを記憶媒体に記録するステップ（ステップ３０８）と、記憶媒体に記録された電圧、温度、および時間データをリモート・デバイスに有線またはワイヤレスで送信するステップ（ステップ３１０）とを含む。電圧、温度、および時間データは、他の関連データと共に、評価、分析、処理され、および／または種々のコンピューティング・システム、リソース、および／またはアプリケーションへの入力として利用することができる（ステップ３１２）。この例示的な方法では、電圧センサ１３０、温度センサ１４０、および記憶媒体は、バッテリ監視回路１２０上で、バッテリ１００の内側に配置される。他の例示的な方法では、電圧センサ１３０、温度センサ１４０、および記憶媒体は、バッテリ監視回路１２０上において、バッテリ１００／２００の外側に配置される。更に、方法３００は、電圧、温度、および／または時間データに応答して、種々の措置を講ずるステップ（ステップ３１４）を含んでもよく、例えば、バッテリを充電する、バッテリを放電する、バッテリを倉庫から搬出する(remove) 、バッテリを新しいバッテリと交換する等を含む。
【００４１】
[0051]  これより図４Ａおよび図４Ｂを参照すると、例示的な実施形態では、バッテリ監視回路１２０は、データをリモート・デバイスと通信するように構成される。リモート・デバイスは、複数のバッテリからデータを受信するように構成することができ、各バッテリにはバッテリ監視回路１２０が装備される。例えば、リモート・デバイスは、各々バッテリ監視回路１２０に接続されている、個々のバッテリ１００からデータを受信するのでもよい。更に、他の例示的な実施形態では、リモート・デバイスが個々のバッテリ２００からデータを受信するのでもよく、各バッテリ２００はバッテリ監視回路１２０に接続される。
【００４２】
[0052]  各バッテリ１００／２００に関連するデータを収集し使用するシステム例４００を開示する。一般に、リモート・デバイスとは、物理的にバッテリ１００／２００またはバッテリ監視回路１２０の一部ではない電子デバイスである。システム４００は、ローカル部分４１０および／またはリモート部分４２０を含んでもよい。ローカル部分４１０は、１つまたは複数のバッテリ１００／２００に比較的近くに位置するコンポーネントを含む。「比較的近い」とは、例示的な一実施形態では、バッテリ監視回路のアンテナのワイヤレス信号範囲内を意味する。他の実施形態例では、「比較的近い」とは、Ｂｌｕｅｔｏｏｔｈ範囲、同じキャビネット内、同じ室内等を意味する。ローカル部分４１０は、例えば、１つ以上のバッテリ１００／２００、バッテリ監視回路１２０、および随意でローカル部分４１０に位置するローカル配置リモート・デバイス(locally located remote device)４１４を含んでもよい。更に、ローカル部分は、例えば、ゲートウェイも含んでもよい。ゲートウェイは、各バッテリ１００／２００からデータを受信するように構成することができる。また、ゲートウェイは、命令を各バッテリ１００／２００に送信するように構成することもできる。実施形態例では、ゲートウェイは、ゲートウェイにおいてワイヤレスで送信／受信するため、および／またはローカル配置リモート・デバイス４１４と通信するためのアンテナを含む。ローカル配置リモート・デバイス４１４は、例示的な実施形態では、スマートフォン、タブレット、または他の電子移動体デバイスである。他の例示的な実施形態では、ローカル配置リモート・デバイス４１４は、コンピュータ、ネットワーク、サーバ等である。更に他の例示的な実施形態では、ローカル配置リモート・デバイス４１４は、車載電子システムである。更にまた、ある実施形態では、ゲートウェイがローカル配置リモート・デバイス４１４として機能してもよい。例えば、ゲートウェイとローカル配置リモート・デバイス４１４との間における例示的な通信は、任意の適した有線またはワイヤレス手法によって、例えば、Ｂｌｕｅｔｏｏｔｈプロトコルによって行うことができる。
【００４３】
[0053]  ある例示的な実施形態では、リモート・デバイスは、ローカル部分４１０には位置せず、リモート部分４２０に位置する。リモート・デバイス４２０は、任意の適したバックエンド・システムを含んでもよい。例えば、リモート部分４２０内にあるリモート・デバイスは、コンピュータ４２４（例えば、デスクトップ・コンピュータ、ラップトップ・コンピュータ、サーバ、移動体デバイス、あるいは本明細書において説明するようにデータを使用または処理する任意の適したデバイス）を含んでもよい。更に、リモート部分は、クラウド・ベースのコンピューティングおよび／または記憶サービス、オンデマンド・コンピューティング・リソース、あるいは任意の適した同様のコンポーネントを含んでもよい。このように、リモート・デバイスは、種々の例示的な実施形態では、コンピュータ４２４、サーバ、バックエンド・システム、デスクトップ、クラウド・システム等であってもよい。
【００４４】
[0054]  例示的な実施形態では、バッテリ監視回路１２０は、バッテリ監視回路１２０とローカル配置リモート・デバイス４１４との間でデータを直接伝達するように構成されてもよい。例示的な実施形態では、バッテリ監視回路１２０とローカル配置リモート・デバイス４１４との間の通信は、Ｂｌｕｅｔｏｏｔｈ送信を通じてというように、ワイヤレス送信にすることができる。更に、任意の適したワイヤレス・プロトコルを使用することができる。ある実施形態では、バッテリ監視回路１２０がバッテリ１００／２００の外部にある場合、通信は、配線によって、例えば、 イーサネット（登録商標）・ケーブル、ＵＳＢケーブル、撚り線対、および／または任意の他の適した配線および対応する有線通信プロトコルによって行うことができる。
【００４５】
[0055]  例示的な実施形態では、バッテリ監視回路１２０は、更に、セルラ・ネットワーク４１８、およびインターネットのような他のネットワークを通じて、リモート・デバイスと通信するためにセルラ・モデムを含む。例えば、コンピュータ４２４と、または セルラ・ネットワーク４１８を通じてローカル配置リモート・デバイス４１４と、データと共有することができる。このように、バッテリ監視回路１２０は、温度および電圧データをリモート・デバイスに送り、インターネット接続世界におけるあらゆる場所への分散のために、リモート・デバイスからの通信を、セルラ・ネットワーク４１８からインターネットのような他のネットワークを通じて受信するように構成することもできる。
【００４６】
[0056]  種々の例示的な実施形態では、ローカル部分４１０からのデータはリモート部分４２０に伝達される。例えば、バッテリ監視回路１２０からのデータおよび／または命令を、リモート部分４２０内にあるリモート・デバイスに伝達することができる。例示的な実施形態では、ローカル配置リモート・デバイス４１４は、リモート部分４２０内にあるコンピュータ４２４と、データおよび／または命令を通信する。例示的な実施形態では、これらの通信はインターネットを通じて送られる。通信は、そのセキュリティを保存するために、望まれる通りに、安全を確保するおよび／または暗号化することができる。
【００４７】
[0057]  例示的な実施形態では、これらの通信は、任意の適した通信プロトコルを使用して、例えば、ＴＣＰ／ＩＰ、ＷＬＡＮによって、イーサネット、ＷｉＦｉ、セルラ無線等を通じて送ることができる。例示的な一実施形態では、ローカル配置リモート・デバイス４１４は、ローカル・ネットワークを通じてワイヤによってインターネットに接続され、これによって任意の望ましいリモート配置リモート・デバイスに接続される。他の例示的な実施形態では、リモート配置リモート・デバイス４１４は、セルラ・ネットワーク、例えば、セルラ・ネットワーク４１８を通じて、インターネットに接続され、これによって任意の望ましいローカル配置リモート・デバイスに接続される。
【００４８】
[0058]  例示的な実施形態では、このデータは、サーバにおいて受信され、コンピュータ４２４において受信され、クラウド・ベース記憶システム、サーバ、データベース等に格納されてもよい。例示的な実施形態では、このデータは、バッテリ監視回路１２０、ローカル配置リモート・デバイス４１４、コンピュータ４２４、および／または任意の適したリモート・デバイスによって処理されてもよい。このように、バッテリ監視回路１２０において行われるものとして説明する処理および分析は、バッテリ監視回路１２０、ローカル配置リモート・デバイス４１４、コンピュータ４２４、および／または任意の他のリモート・デバイスにおいても完全にまたは部分的に行うことができることは認められよう。
【００４９】
[0059]  リモート部分４２０は、例えば、多くのバッテリ１００／２００に関する情報を表示、処理、利用する、またはこの情報に応答して措置を講ずるように構成することができる。バッテリ１００／２００は、互いに地理的に分散され、および／または多様なまたは異なる種類、グループ、および／またはセットのバッテリ１００／２００を含む。リモート部分４２０は、特定の個々のバッテリ温度および／または電圧についての情報を表示し、または特定の個々のバッテリ温度および／または電圧に基づいて情報を表示することができる。このように、システムは、互いに遠距離に位置するバッテリ１００／２００の大きな集合体を監視することができるが、個々のバッテリ・レベルでこのように監視することができる。
【００５０】
[0060]  リモート部分４２０のデバイスは、これが世界中のどこからでもアクセス可能になるように、ネットワーク接続することもできる。ユーザは、彼らが所有するバッテリまたは彼らが操作するバッテリに関連するデータにのみ彼らのアクセスを許可するために、アクセス資格証明書を発行することができる。ある実施形態では、アクセス制御は、連番をリモート・デバイスに割り当て、バッテリ所有者または操作者がログインするために、この番号を秘密に供給することによって、行われてもよい。
【００５１】
[0061]  クラウド・ベース・システムに格納されている電圧、温度、および時間データは、バッテリのステータス、その状態、その動作要件（１つまたは複数）、通常でない状態即ち異常状態等についての情報を伝えるために、種々のディスプレイに提示されるとよい。一実施形態では、バッテリまたはバッテリの集合体からのデータを分析して追加情報を提供することができ、他のバッテリやバッテリの集合体からのデータ、または外因性条件と相関付けて追加情報を提供することもできる。
【００５２】
[0062]  本明細書において開示するシステムおよび方法は、セルラ無線またはインターネット接続世界におけるどこに位置するバッテリであっても、その性能および健全性を監視するための経済的な手段を提供する。バッテリ監視回路１２０は、これらの機能を実行する（またはその実行を可能にする）ために、電圧、温度、および時間データだけを拠り所にするので、コストは、バッテリ電流も監視しなければならない種々の先行技術システムよりも遙かに少ない。更に、複数のバッテリにおける各バッテリでこれらの機能を実行するのではなく、複数のバッテリに接続された複数の監視回路から電圧、温度、および時間データを受信することができるリモート・デバイスにおいて計算および分析を実行することにより、いずれの１つのバッテリを監視し、その性能および健全性を分析し、このような分析の結果を表示するためのバッテリ当たりのコストが最小に抑えられる。これによって、効果的なバッテリの監視が可能になる。これは、種々の動作にとって非常に重要であるが、有効な遠隔監視システムが入手できなかったため、および／またはバッテリをローカルで監視し手作業でデータを収集するコストが法外であったため、これまで監視されなかった。システム例は、以下のような用途例、工業用原動力（フォークリフト、テーブル・リフト、トラクタ、ポンプおよび照明等）、低速電気車両（近隣電気車両、電気ゴルフ・カート、電動自転車、スクータ、スケートボード等）、グリッド・パワー・バックアップ電力供給（コンピュータ、緊急時照明、遠隔地に配置された重要な負荷）、海洋用途（エンジン始動バッテリ、内蔵電源）、自動車両の用途、および／または他の用途例（例えば、エンジン始動バッテリ、長距離トラックおよび娯楽車両車載電源等）において、バッテリの総合的な遠隔監視を可能にする。同様の用途および／または異なる用途における同様のバッテリおよび／または異なるバッテリのこの総合的遠隔監視によって、これまで可能でなかった、バッテリ性能および健全性（例えば、バッテリの充電状態、バッテリの保存時間、バッテリの動作モード、不利な熱条件等）の分析が可能になる。同時期に得られた電圧および温度データ、格納されている電圧および温度データ、および／またはバッテリおよび用途特定パラメータ（しかし、バッテリ１００／２００の電流に関するデータを除く）を使用することにより、電圧および／または温度の短期変化、電圧および／または温度の長期変化、電圧および／または温度に対する閾値を単独でまたは組み合わせて使用し、バッテリ監視回路１２０、ローカル配置リモート・デバイス４１４、コンピュータ４２４、および／または任意の適したデバイスにおけるというように、模範となる分析を行うことができる。これらの分析の結果、それに応答して講じられる措置は、バッテリの性能を向上させ、バッテリの安全性を高め、バッテリの動作コストを低減することができる。
【００５３】
[0063]  本明細書における実施形態の多くは、鉛酸式電気化学セルである電気化学セル（１つまたは複数）を中心に据えたが、他の実施形態では、電気化学セルは、リチウム、ニッケル、カドミウム、ナトリウム、および亜鉛を含むがこれらに限定しない種々の化学物質(chemistries)のものであってもよい。このような実施形態では、バッテリ監視回路および／またはリモート・デバイスは、その特定のバッテリ化学物質に関連する計算および分析を実行するように構成することができる。
【００５４】
[0064]  ある実施形態例では、本開示の原理の応用によって、異常なバッテリを識別することができ、バッテリ監視回路１２０および／またはリモート・デバイスによって、バッテリを維持し安全を確保するための措置を促すための警告または通知を出すことができる。バッテリ１００／２００は、異なる製造業者によって作られてもよく、異なる型式の構造または異なる種類のセルを使用して作られてもよい。しかしながら、複数のバッテリ１００／２００が同様に組み立てられ、同様の環境条件に置かれる場合、本システムは、異常なバッテリ、例えば、異なるおよび／または疑わしい温度および／または電圧データを返しているバッテリを識別するように構成することもできる。外れデータは、故障したバッテリを識別し、または局所的条件（高負荷等）を識別し、このようなバッテリを維持し安全を確保するために警告または通知を出すために使用することができる。同様に、異なる用途におけるバッテリ１００／２００、または異なる製造業者からのバッテリ１００／２００を比較して、どのバッテリの種類および／または製造業者の製品が、任意の特定の用途において最良の性能を発揮するか判定することができる。
【００５５】
[0065]  例示的な実施形態では、バッテリ監視回路１２０および／またはリモート・デバイスは、データを分析して措置を講じ、通知を送り、データに基づいて判定を行うように構成することができる。バッテリ監視回路１２０および／またはリモート・デバイスは、バッテリ１００／２００毎に現在の温度、および／またはバッテリ１００／２００毎に現在の電圧を示すように構成されてもよい。更に、この情報は、温度または電圧範囲によって纏められた個々の測定値と共に示し、例えば、所定の範囲（１つまたは複数）の外側にあるまたはこのような範囲の外側に近いバッテリの通知を出すことによって、保守および安全対策を促すことができる。
【００５６】
[0066]  更に、バッテリ監視回路１２０および／またはリモート・デバイスは、バッテリの在庫管理を行うため、またはバッテリの安全性を確保するために、各バッテリ１００／２００の物理的位置（バッテリ監視回路１２０によって判定される）を表示することができる。例示的な一実施形態では、物理位置情報は、セルラ・ネットワークを使用して、バッテリ監視回路１２０によって判定される。あるいは、この情報は、バッテリ監視回路１２０内に設置された汎地球測位システム（ＧＰＳ）によって、ＧＰＳ受信機を用いて提供することができる。この位置情報は、電圧、温度、および時間データと共に格納することができる。他の例示的な実施形態では、位置データは、リモート・デバイスとワイヤレスで共有され、リモート・デバイスは位置データを格納するように構成される。位置データを時間と共に格納し、モノブロックまたはバッテリが時間の経過とともにどこにあったかを反映する、モノブロックの移動履歴（位置履歴）を作成することもできる。
【００５７】
[0067]  更に、リモート・デバイスは、データに基づいて通知を作成するおよび／または送るように構成することができる。例えば、バッテリ監視回路および／またはリモート・デバイスにおける分析に基づいて、特定のモノブロックが過電圧である場合に、通知を表示することができ、この通知は過電圧である特定のモノブロックを識別することができ、システムは維持対策を促すことができる。通知は、任意の適したシステムまたは手段によって、例えば、電子メール、ＳＭＳメッセージ、通話、アプリケーション内プロンプト(in-application prompt)等によって送られてもよい。
【００５８】
[0068]  例示的な実施形態では、バッテリ監視回路１２０がバッテリ１００／２００内部に配置され（または外部に結合され）、バッテリ１００／２００に接続されている場合、システムはバッテリ１００／２００のために在庫および保守サービスを提供する。例えば、システムは、モノブロックまたはバッテリに接触することなく、保管または輸送中のモノブロックあるいはバッテリの存在を検出するように構成することができる。バッテリ監視回路１２０は、例示的な実施形態では、倉庫における在庫追跡のために構成することができる。例示的な一実施形態では、バッテリ監視回路１２０は、ローカル配置リモート・デバイス４１４および／またはリモート配置リモート・デバイス、ならびに特定のバッテリ１００／２００が、例えば、いつ倉庫またはトラックを予期せずに離れたか識別するように構成されたバックエンド・システムに、位置データを送信する。これを検出できるのは、例えば、バッテリ１００に関連付けられたバッテリ監視回路１２０が電圧および／または温度データをローカル配置リモート・デバイス４１４および／またはバックエンド・システムと通信するのを中止したとき、バッテリ位置がもはや位置データベース内に記されたところではないとき、あるいはそれ以外では、モノブロックまたはバッテリとバッテリ監視回路１２０との間の有線接続が切断されたときである。リモート・バックエンド・システムは、例示的な実施形態では、バッテリが盗まれたかもしれないという警告を発する(trigger)ように構成される。リモート・バックエンド・システムは、例えば、バッテリ内の連続するモノブロックが通信を停止した（または失った）とき、または電圧および温度情報を報告するのを停止したときに、バッテリが盗まれる最中であるという警告を発するように構成されてもよい。例示的な実施形態では、リモート・バックエンド・システムは、バッテリ１００／２００が予期せずに倉庫から離れたか否か識別し、その場合、警報、警告、または通知を送るように構成することもできる。他の実施形態では、バッテリ監視回路１２０がセルラ・ネットワークを通じてリモート・デバイスと通信する場合、バッテリの実際の位置を追跡し、バッテリが既定のジオフェンス・エリアの外側に移動した場合通知を生成することができる。盗難防止および在庫追跡のこれら種々の実施形態は、従来の手法と比較すると独特である。何故なら、例えば、個々の物体のＲＦＩＤ型問い合わせよりも長い距離で行うことができるからであり、したがって、ＲＦＩＤが同様の機能を提供することができない場合、容易に観察できない物体（例えば、棚またはパレット上で複数の層に重ねられている在庫品）の存在を反映することができる。
【００５９】
[0069]  ある例示的な実施形態では、リモート・デバイス（例えば、ローカル配置リモート・デバイス４１４）は、各バッテリ１００／２００の電圧および温度に関するデータを離れたところで受信するように構成される。例示的な実施形態では、リモート・デバイスは、複数のバッテリの内各バッテリ１００／２００に関連付けられた各バッテリ監視回路１２０から電圧、温度、および時間データを離れたところで受信するように構成される。これらのバッテリは、例えば、インナクティブ、即ち、非動作状態であってもよい。例えば、これらのバッテリは未だ用途に組み込まれていない、負荷に接続されていない、または供用されていなくてもよい。システムは、どのバッテリが再充電する必要があるか判定するように構成することができる。これらのバッテリは、出荷用パッケージ内に収容されても、されなくてもよい。しかしながら、データが受信されて離れたところで判定が行われるので、このデータを受信するためまたは判定を行うために、梱包されているバッテリを開梱する必要はない。バッテリ監視回路１２０がこれらのバッテリ内部に配置され（または外部に結合され）これらに接続されている限り、これらのバッテリは、倉庫内、保管施設内、棚の上、またはパレットの上に置かれていてもよいが、開梱することも、取降ろしすることも、複数のバッテリのいずれも接触することも、移動させることもなく、データを受信することができ、判定を行うことができる。これらのバッテリは、トラック上または出荷用コンテナ内でというように、移動中であってもよく、このような移動中にデータを受信し、判定を行うことができる。その後、しかるべき時点において、例えば、パレットを開梱するときに、再充電を必要とする１つまたは複数のバッテリを特定し、充電することができる。
【００６０】
[0070]  更に他の例示的な実施形態では、バッテリを「チェックする」プロセスを、ここでは、バッテリに関連する電圧データおよび温度データ（ならびに、潜在的に、時間データ）を受信し、このデータに基づいて情報をユーザに提示し、提示された情報は、バッテリについて判定または評価を行うのに有用であるというように説明することができる。例示的な実施形態では、リモート・デバイスは、バッテリ監視回路１２０が装備された複数のバッテリの各バッテリ１００／２００を離れたところで「チェックする」ように構成される。この例示的な実施形態では、リモート・デバイスはワイヤレス信号を複数のバッテリ１００／２００の各々から受信し、各バッテリ１００／２００の電圧および温度をチェックすることができる。このように、これらの例示的な実施形態では、リモート・デバイスは、出荷を待っているバッテリのパレットに素早く質問して、いずれかのバッテリを再充電する必要があるか否か、いつまでに特定のバッテリを再充電する必要があるか、または特定のバッテリにおいて健全性問題のいずれかの状態が現れているか否か判定するために使用することができ、バッテリのパレットを開梱することも、そうでなければ接触することも全く必要ない。このチェック動作は、例えば、梱包またはバッテリをスキャン、ピング(pinging)、移動、または個別に質問することなく、代わりに、各バッテリ１００／２００に関連付けられたバッテリ監視回路１２０がワイヤレスでデータをリモート・デバイスに報告することに基づいて行うことができる（例えば、４１４／４２４）。
【００６１】
[0071]  例示的な実施形態では、バッテリ１００／２００は電子的にそれ自体を識別するように構成される。例えば、バッテリ１００／２００は、一意の電子識別子（一意の連番等）をバッテリ監視回路１２０からリモート・デバイスに、セルラ・ネットワーク４１８に、またはローカル配置リモート・デバイス４１４に伝達するように構成されてもよい。この連番を、バッテリの外側で見える、またはバッテリの集合体において１つのバッテリを識別することができるリーダによって電子的に見える、可視バッテリ識別子（例えば、ラベル、バーコード、ＱＲコード（登録商標）、連番等）と相関付けることもできる。したがって、システム４００は、特定のバッテリからのバッテリ・データを、その特定のバッテリの一意の識別子と関連付けるように構成することができる。更に、モノブロック、例えば、バッテリ１００をバッテリ２００内に設置する間に、システム４００に関連付けられたデータベースに、インストーラがモノブロックについての種々の情報、例えば、相対的位置（例えば、どのバッテリ、どの列、棚の上のどの位置、キャビネットの向き等）を入力してもよい。同様の情報を、バッテリ１００／２００に関するデータベースに入力してもよい。
【００６２】
[0072]  このように、データが対象のバッテリ（例えば、標準を下回る性能しか出せない、過熱している、放電した等）を示す場合、何らかのしかるべき措置のために、この特定のバッテリを選別することができる。言い方を変えると、ユーザは特定のバッテリについての情報を受け（一意の電子識別子によって識別された）、直接そのバッテリ（可視バッテリ識別子によって識別された）の所に向かい、あらゆる必要性に応える（「保守」を行う）ことができる。例えば、この保守は、識別されたバッテリをサービスから除外し、識別されたバッテリを修繕し、識別されたバッテリを充電する等を含んでもよい。例示的な特定実施形態では、バッテリ１００／２００に、再充電を必要とするというように注記してもよく、倉庫の従業員が倉庫内の棚の上にあるバッテリをスキャンして（例えば、各バッテリ１００／２００上のＱＲコードをスキャンする）、対象のバッテリを発見しそれを再充電することができる。他の例示的な実施形態では、バッテリを出荷するために移動させ、バッテリを収容したパッケージがコンベヤに沿って移動してリーダを通過すると、ローカル配置リモート・デバイス４１４が、一意の電子識別子、電圧、および温度を含むその特定のバッテリについてのデータを引き出し、それに関して何らかの措置を講ずる必要がある場合（例えば、出荷の前に、バッテリを再充電する必要がある場合）に警告するように構成することができる。
【００６３】
[0073]  例示的な実施形態では、バッテリ監視回路１２０自体、リモート・デバイス、および／または任意の適した記憶デバイスが、個々のバッテリ１００／２００のバッテリ動作履歴を、バッテリの寿命における１つよりも多いフェーズを通して、格納するように構成することができる。例示的な実施形態では、バッテリの履歴を記録することができる。例示的な実施形態では、バッテリが製品に統合された後または供用された後（単独で、またはバッテリ内に）、バッテリは更にデータを記録することもできる。バッテリは、それが廃用になった後、転用先の用途において(in a second life application)再使用された後、および／または最終的にリサイクルまたは廃棄されるまで、データを記録することもできる。
【００６４】
[0074]  本明細書では、このデータをバッテリ監視回路１２０上に格納するというように説明することもあったが、例示的な特定実施形態では、履歴データはバッテリ監視回路１２０から離れたところに格納される。例えば、本明細書において説明したデータを、バッテリ監視回路１２０から離れた１つ以上のデータベース（例えば、クラウド・ベースのストレージ提供(offering)において、バックエンド・サーバにおいて、ゲートウェイにおいて、および／または１つ以上のリモート・デバイス上において）に格納することができる。
【００６５】
[0075]  システム４００は、前述の時間期間の１つ以上の間に、バッテリがどのように動作させられたか、動作させられた環境状態、および／または他のバッテリと共に保持されていた社会(society)の履歴を格納するように構成することができる。この履歴は、これらの時間期間中に格納されたデータに基づいて判定することができる。例えば、リモート・デバイスは、２つのバッテリが１つの用途において一緒に使用されたか否かというような、バッテリ１００／２００と電気的に関連付けられた他のバッテリの識別情報を格納するように構成されてもよい。この共有される社会情報は、先に説明した一意の電子識別子、およびバッテリが（地理的に）どこに位置するか識別するデータに基づくことができる。更に、リモート・デバイスは、バッテリが特定の動作において共有されたときも格納することができる。
【００６６】
[0076]  この履歴情報、およびこれを使用して実行される分析は、電圧、温度、および時間データのみに基づくことができる。言い方を変えると、電流データを利用しない。本明細書において使用する場合、「時間」は、電圧／温度測定の日、時間、分、および／または秒を含むとしてよい。他の例示的な実施形態では、「時間」は電圧／温度状態が存在した時間量を意味するとしてもよい。具体的には、履歴は、バッテリ（１つまたは複数）に関連する充電電流および放電電流から得られるデータに基づかない。これが特に重要なのは 、大量のモノブロックがある場合に、モノブロック毎の電流および関連する時間を測定するためにセンサを接続および加入し、個々のバッテリから各々を検知することは、非常に法外であるからである。
【００６７】
[0077]  種々の例示的な実施形態では、システム４００（および／またはそのコンポーネント）は、例えば、インターネットのような共通ネットワークを通じて、１つ以上のバッテリ１００／２００に結合された外部バッテリ管理システム（ＢＭＳ）と通信することができる。システム４００は、１つ以上のバッテリ１００／２００に関する情報をＢＭＳに伝達することができ、ＭＢＳは、これに応答して、例えば、１つ以上のバッテリ１００／２００に流入する電流および／または流出する電流を制御あるいは変更することによって、バッテリ１００／２００を保護するために措置を講ずることができる。
【００６８】
[0078]  例示的な実施形態では、過去の解決策とは対照的に、システム４００は、地理的に分散されたバッテリに対して、同時期に得られた電圧および／または同時期に得られた温度データを格納するように構成される。これは、異なる位置にあり異なる条件で動作する複数のモノブロックまたはバッテリについて同時期に得られる電圧および／または同時期に得られる温度データが入手可能でない過去の解決策に対して著しい改善である。このように、例示的な実施形態では、履歴電圧および温度データは、モノブロックまたはバッテリの状態を評価するため、および／またはモノブロックまたはバッテリの今後の状態について予測および比較を行うために使用される。例えば、このシステムは、バッテリ２００内にある種々のモノブロック間のデータの比較に基づいて評価を行うように構成されてもよい。例えば、格納されているデータは、モノブロックが範囲を逸脱する暴走(excursion)を起こした回数（過充電、過電圧、温度超過等）、このようなことが起きたとき、それが続いた長さ等を示すことができる。
【００６９】
[0079]  対照的に、バッテリ監視回路１２０は、モノブロックの内部に(internal to)、即ち、モノブロック内に(within)に配置できることを注記しておく。例示的な実施形態では、バッテリ監視回路１２０は、それがバッテリ１００の外側から見えない／到達できないように配置される。他の例では、バッテリ監視回路１２０は、バッテリ１００の内部において、バッテリ１００の内部温度の測定を容易にする位置に配置される。例えば、バッテリ監視回路１２０は、２つ以上のモノブロック間の温度、モノブロックの外装の温度、または複数のモノブロックを内蔵するバッテリ内の空気温度を測定することができる。他の例示的な実施形態では、バッテリ監視回路１２０は、モノブロックの外部にまたはモノブロック上に配置されてもよい。例示的な実施形態では、バッテリ監視回路１２０は、それがバッテリ１００の外側から見える／到達できるように配置される。
【００７０】
[0080]  これより図４Ｄを参照すると、種々の例示的な実施形態では、バッテリ監視回路１２０が内部に配置された（または外部から結合された）１つまたは複数のバッテリ１００／２００を負荷および／または電源に結合することができる。例えば、バッテリ１００／２００を車両に結合し、原動力を得るための電気エネルギを供給することができる。加えておよび／または代わりに、バッテリ１００／２００をソラー・パネルに結合し、充電電流をバッテリ１００／２００に供給するのでもよい。更に、種々の用途において、バッテリ１００／２００を電気グリッドに結合してもよい。尚、バッテリ１００／２００が結合されるシステムおよび／またはコンポーネントの性質ならびに個数が、例えば、本明細書において説明するような種々の方法、アルゴリズム、および／または技法の適用によって、バッテリ１００／２００を監視するための所望の手法に影響を及ぼす場合もあることは認められよう。更にまた、本明細書において開示する種々の用途および方法において、バッテリ１００／２００はいずれの外部負荷にも充電源にも結合されず、切断されることもある（例えば、倉庫内に保管中に静止しているとき）。
【００７１】
[0081]  例えば、種々のシステムおよび方法は、バッテリ１００／２００の特性、および／またはバッテリ１００／２００が動作する特定の用途に特定的な情報を利用することができる。例えば、バッテリ１００／２００および用途特定特性(application specific characteristics)は、製造日、バッテリ容量、ならびに電圧および温度限度のような推奨動作パラメータを含んでもよい。実施形態例では、バッテリおよび用途特定特性は、 バッテリ１００／２００の化学物質、例えば、グラスマット吸収式鉛酸、ゲル化電解鉛酸、浸水鉛酸、マンガン酸リチウム、コバルト酸リチウム、燐酸鉄リチウム、リチウム・ニッケル・マンガン・コバルト、リチウム・コバルト・アルミニウム、ニッケル亜鉛、亜鉛空気、ニッケル金属、ニッケル水素、ニッケル・カドミウム等でもよい。
【００７２】
[0082]  実施形態例では、バッテリ特定特性は、バッテリ製造業者、モデル番号、アンペア−時間（Ａｈ）単位のバッテリ容量、公称電圧、フロート電圧、充電状態対開放回路電圧、充電状態、負荷電圧、および／または等価電圧等でもよい。更に、特性は、バッテリ１００／２００の任意の適した特定的な特性とすることができる。
【００７３】
[0083]  種々の例示的な実施形態では、用途特定特性は、セルラ無線基地局、電気フォークリフト、電動自転車等のような、用途を特定することができる。更に一般的には、用途特定特性は、グリッド結合用途と移動用途との間で区別することもできる。
【００７４】
[0084]  種々の実施形態例では、手作業で情報をタイプ入力することによって、移動体デバイス上で実行するソフトウェア・プログラムに、サーバによってコンピュータまたは移動体デバイスに提示されるウェブ・インターフェースに、または任意の他の適した手作業のデータ入力方法で、バッテリ１００／２００を特徴付ける情報を入力することができる。他の実施形態例では、バッテリ１００／２００を特徴付ける情報は、メニューまたはチェックリストから選択することができる（例えば、メニューからバッテリの供給業者またはモデルを選択する）。他の実施形態例では、バッテリ上のＱＲコードをスキャンすることによって、情報を受けることができる。他の実施形態例では、バッテリ１００／２００を特徴付ける情報は、１つ以上のデータベースに格納することができる（例えば、この情報を格納するデータベースにリンクする識別子を供給するユーザによって）。例えば、車両管理局、バッテリ製造業者およびＯＥＭデータベース、車団データベース(fleet database)、および他の適したデータベースというようなデータベースが、１つまたは複数のバッテリ１００／２００の用途を特徴付けるのに有用なパラメータおよび他の情報を有してもよい。更に、特性は、任意の適した用途特定特性とすることができる。
【００７５】
[0085]  一実施形態例では、バッテリ１００／２００の内部にバッテリ監視回路１２０が装備されているまたは外部から結合されている場合、バッテリおよび用途特定特性をこの回路にプログラミングすることができる（例えば、バッテリ・パラメータ表に）。この場合、バッテリ１００／２００毎のこれらの特定は、バッテリ１００／２００と共に移動し、本明細書において説明する分析を実行する任意の適したシステムによってアクセスすることができる。他の実施形態例では、バッテリおよび用途特定特性を、バッテリ１００／２００から離れたところに、例えば、リモート・デバイス内に格納することができる。更に、バッテリ１００／２００を特徴付ける情報を受けるのに適した任意の方法を使用してもよい。実施形態例では、この情報を移動体デバイス上、データ収集デバイス（例えば、ゲートウェイ）上、またはクラウド内に格納することができる。更に、例示的なシステムおよび方法は、更に、バッテリ充電器に関する特定特性（例えば、充電器の製造業者、モデル、電流出力、充電アルゴリズム等）を受ける、格納する、そして利用するように構成することができる。
【００７６】
[0086]  本明細書において論じた種々のシステム・コンポーネントは、ディジタル・データを処理するプロセッサを含むホスト・サーバまたは他のコンピューティング・システム、ディジタル・データを格納するためにプロセッサに結合されたメモリ、ディジタル・データを入力するためにプロセッサに結合された入力ディジタイザ、メモリに格納されプロセッサによるディジタル・データの処理を命令するためにプロセッサによってアクセス可能なアプリケーション・プログラム、プロセッサによって処理されたディジタル・データから得られた情報を表示するためにプロセッサおよびメモリに結合されたディスプレイ・デバイス、および複数のデータベースの内１つ以上を含んでもよい。本明細書において使用される種々のデータベースは、温度データ、時間データ、電圧データ、バッテリ位置データ、バッテリ識別子データ、および／またはシステムの動作において有用な同様のデータを含むことができる。当業者には認められるように、コンピュータは、オペレーティング・システム（例えば、Ｍｉｃｒｏｓｏｆｔ  Ｃｏｒｐｏｒａｔｉｏｎによって提供されるＷｉｎｄｏｗｓ、Ａｐｐｌｅ  Ｃｏｍｐｕｔｅｒによって提供されるＭａｃＯＳおよび／またはｉＯＳ、Ｌｉｎｕｘ（登録商標）、Ｕｎｉｘ等）、ならびにコンピュータに通例付随する種々の従来からのサポート・ソフトウェアおよびドライバを含むことができる。
【００７７】
[0087]  本システムあるいはその特定の部分（１つまたは複数）または機能（１つまたは複数）は、ハードウェア、ソフトウェア、またはこれらの組み合わせを使用して実装することができ、１つ以上のコンピュータ・システムまたは他の処理システムにおいて実装することができる。しかしながら、実施形態によって実行される操作は、照合する(matching)または選択する(selecting)というような用語で呼ばれことが多いが、これらは操作員によって行われる精神的活動に関連付けられるのが一般的である。このような操作員の能力は、本明細書において説明した動作のいずれにおいても、殆どの場合、必要でもなく、望ましくもない。むしろ、動作は機械動作であるのはもっともであり、これらの動作はいずれも、人工知能（ＡＩ）または機械学習によって行うこと、または強化することもできる。種々の実施形態の特定のアルゴリズムを実行するのに有用な機械には、汎用ディジタル・コンピュータまたは同様のデバイスが含まれる。
【００７８】
[0088]  実際、種々の実施形態では、これらの実施形態は、本明細書において説明した機能を実行することができる１つ以上のコンピュータ・システムを対象とする。コンピュータ・システムは、モノブロックを管理するプロセッサのような、１つ以上のプロセッサを含む。プロセッサは、通信インフラストラクチャ（例えば、通信バス、クロスオーバー・バー、またはネットワーク）に接続される。このコンピュータ・システムに関して、種々のソフトウェアの実施形態を説明する。この説明を読んだ後には、他のコンピュータ・システムおよび／またはアーキテクチャを使用して、種々の実施形態をどのように実現するのか、当業者には明白になるであろう。コンピュータ・システムは、ディスプレイ・ユニット上での表示のために、グラフィクス、テキスト、および他のデータを通信インフラストラクチャから（または図示しない、フレーム・バッファから）転送するディスプレイ・インターフェースを含むことができる。
【００７９】
[0089]  また、コンピュータ・システムは、例えば、ランダム・アクセス・メモリ（ＲＡＭ）のような主メモリも含み、更に副メモリまたはメモリ内（非回転）ハード・ドライブも含むこともある。副メモリは、例えば、ハード・ディスク・ドライブおよび／またはリムーバブル記憶ドライブを含むことができ、ディスク・ドライブ、磁気テープ・ドライブ、光ディスク・ドライブ等を表す。リムーバブル記憶ドライブは、周知のやり方でリムーバブル記憶ユニットから読み出し、および／またはリムーバブル記憶ドライブに書き込む。リムーバブル記憶ユニットは、ディスク、磁気テープ、光ディスク、ソリッド・ステート・メモリ等を表し、リムーバブル記憶ドライブによって読み出しおよび書き込みが行われる。認められるように、リムーバブル記憶ユニットは、コンピュータ・ソフトウェアおよび／またはデータが内部に格納されているコンピュータ使用可能記憶媒体を含む。
【００８０】
[0090]  種々の実施形態では、副メモリは、コンピュータ・プログラムまたは他の命令をコンピュータ・システムにロードすることを可能にするために、他の同様のデバイスを含んでもよい。このようなデバイスには、例えば、リムーバブル記憶ユニットおよびインターフェースを含むことができる。このようなものの例には、プログラム・カートリッジおよびカートリッジ・インターフェース（例えば、ビデオ・ゲーム・デバイスにおいて見られるもの等）、リムーバブル・メモリ・チップ（例えば、消去可能プログラマブル・リード・オンリ・メモリ（ＥＰＲＯＭ）、プログラマブル・リード・オンリ・メモリ（ＰＲＯＭ）等）および付随するソケット、ならびに他のリムーバブル記憶ユニットおよびインターフェースを含むことができ、ソフトウェアおよびデータをリムーバブル記憶ユニットからコンピュータ・システムに転送することを可能にする。
【００８１】
[0091]  また、コンピュータ・システムは通信インターフェースも含むことができる。通信インターフェースは、ソフトウェアおよびデータをコンピュータ・システムと外部デバイスとの間で転送することを可能にする。通信インターフェースの例には、モデム、ネットワーク・インターフェース（例えば、イーサネット・カード等）、通信ポート、パーソナル・コンピュータ・メモリ・カード国際連合（ＰＣＭＣＩＡ）スロットおよびカード等を含むことができる。通信インターフェースを通じて転送されるソフトウェアおよびデータは、電子、電磁、光、または通信インターフェースによって受信できる他の信号でもよい、信号の形態である。これらの信号は、通信経路（例えば、チャネル）を通じて通信インターフェースに供給される。このチャネルは、信号を搬送し、ワイヤ、ケーブル、光ファイバ、電話線、セルラ・リンク、無線周波数（ＲＦ）リンク、ワイヤレスおよび他の通信チャネルを使用して実装することができる。
【００８２】
[0092]  「コンピュータ・プログラム媒体」および「コンピュータ使用可能媒体」および「コンピュータ読み取り可能媒体」という用語は、リムーバブル記憶ドライブおよびハード・ディスクのような媒体を一般的に指すために使用される。これらのコンピュータ・プログラム製品は、ソフトウェアをコンピュータ・システムに供給する。
【００８３】
[0093]  コンピュータ・プログラム（コンピュータ制御ロジックとも呼ぶ）は、主メモリおよび／または副メモリに格納される。また、コンピュータ・プログラムは、通信インターフェースを通じて受信することもできる。このようなコンピュータ・プログラムは、実行されると、コンピュータ・システムが、本明細書において論じたような特定の機能(feature)を実行することを可能にする。具体的には、コンピュータ・プログラムは、実行されると、プロセッサが種々の実施形態の特定の機能を実行することを可能にする。したがって、このようなコンピュータ・プログラムはコンピュータ・システムのコントローラを表す。
【００８４】
[0094]  種々の実施形態では、ソフトウェアは、コンピュータ・プログラム製品内に格納され、リムーバブル記憶ドライブ、ハード・ディスク・ドライブ、または通信インターフェースを使用して、コンピュータ・システムにロードされてもよい。制御ロジック（ソフトウェア）は、プロセッサによって実行されると、本明細書において説明した種々の実施形態の機能(function)をプロセッサに実行させる。種々の実施形態では、特定用途集積回路（ＡＳＩＣ）のようなハードウェア・コンポーネントを、ソフトウェア・ベースの制御ロジックの代わりに利用してもよい。本明細書において説明した機能(functions)を実行するようなハードウェア状態機械の実装は、当業者には明白であろう。
【００８５】
[0095]  ウェブ・クライアントは、例えば、本明細書において論じたもののような、任意のネットワークを通じて通信する任意のデバイス（例えば、パーソナル・コンピュータ）を含む。このようなブラウザ・アプリケーションは、オンライン・トランザクションおよび／または通信を実行するためにコンピューティング・ユニットまたはシステム内にインストールされるインターネット・ブラウジング・ソフトウェアを含む。これらのコンピューティング・ユニットまたはシステムは、コンピュータまたは１組のコンピュータの形態をなすことができるが、他の種類のコンピューティング・ユニットまたはシステムが使用されてもよく、ラップトップ、ノートブック、タブレット、ハンド・ヘルド・コンピュータ、パーソナル・ディジタル・アシスタント、セットトップ・ボックス、ワークステーション、コンピュータ−サーバ、メイン・フレーム・コンピュータ、ミニコンピュータ、ＰＣサーバ、パーベイシブ・コンピュータ、コンピュータのネットワーク集合(network sets of computers)、パーソナル・コンピュータ、キオスク、端末、ポイント・オブ・セール（ＰＯＳ）デバイス、および／または端末、テレビジョン、あるいはネットワークを通じてデータを受信できる任意の他のデバイスが含まれる。ウェブ・クライアントは、Ｍｉｃｒｏｓｏｆｔ  Ｃｏｒｐｏｒａｔｉｏｎによって提供されるＩｎｔｅｒｎｅｔ  ＥｘｐｌｏｒｅｒまたはＥｄｇｅ、Ｇｏｏｇｌｅによって提供されるＣｈｒｏｍｅ、Ａｐｐｌｅ  Ｃｏｍｐｕｔｅｒによって提供されるＳａｆａｒｉ、またはインターネットにアクセスするために利用可能な無数のソフトウェア・パッケージの内任意の他のものを実行することができる。
【００８６】
[0096]  実務者には、ウェブ・クライアントがアプリケーション・サーバと直接接触してもしなくてもよいことが認められよう。例えば、ウェブ・クライアントが、他のサーバおよび／またはハードウェア・コンポーネントを通じてアプリケーション・サーバのサービスにアクセスしてもよく、インターネット・サーバに対して直接または間接接続を有してもよい。例えば、ウェブ・クライアントは、ロード・バランサを通じて、アプリケーション・サーバと通信してもよい。種々の実施形態では、アクセスは、ネットワークまたはインターネットを通じて、市販のウェブ・ブラウザ・ソフトウェア・パッケージによって行われる。
【００８７】
[0097]  ウェブ・クライアントは、セキュア・ソケット・レイヤ（ＳＳＬ）およびトランスポート・レイヤ・セキュリティ（ＴＬＳ）のようなセキュリティ・プロトコルを実装してもよい。ウェブ・クライアントは、ｈｔｔｐ、ｈｔｔｐｓ、ｆｔｐ、およびｓｆｔｐを含む、様々なアプリケーション・レイヤ・プロトコルを実装してもよい。更に、種々の実施形態では、システム例のコンポーネント、モジュール、および／またはエンジンがマイクロ・アプリケーション、即ち、マイクロ・アプリとして実装されてもよい。マイクロ・アプリは、通例、移動体オペレーティング・システムのコンテキストでデプロイされ、例えば、Ａｐｐｌｅ  Ｃｏｍｐｕｔｅｒによって提供されるｉＯＳ、Ｇｏｏｇｌｅによって提供されるＡｎｄｒｏｉｄ、Ｍｉｃｒｏｓｏｆｔ  Ｃｏｒｐｏｒａｔｉｏｎによって提供されるＷｉｎｄｏｗｓ  Ｍｏｂｉｌｅ等を含む。マイクロ・アプリは、種々のオペレーティング・システムおよびハードウェア・リソースの動作を管理する１組の所定の規則にしたがって、もっと大きなオペレーティング・システムおよび関連するハードウェアのリソースを利用するように構成することができる。例えば、マイクロ・アプリが移動体デバイスまたは移動体オペレーティング・システム以外のデバイスまたはネットワークと通信することを望む場合、マイクロ・アプリは、移動体オペレーティング・システムの所定の規則の下で、オペレーティング・システムおよび関連するデバイス・ハードウェアの通信プロトコルを利用することができる。更に、マイクロ・アプリがユーザからの入力を望む場合、マイクロ・アプリは、オペレーティング・システムに応答を要求するように構成することができ、オペレーティング・システムは、種々のハードウェア・コンポーネントを監視し、次いで検出された入力をハードウェアからマイクロ・アプリに伝達する。
【００８８】
[0098]  本明細書において使用する場合、「識別子」は、品目、例えば、バッテリ１００を一意に識別する任意の適した識別子であってもよい。例えば、識別子は汎用一意識別子(globally unique identifier)であってもよい。
【００８９】
[0099]  本明細書において使用する場合、「ネットワーク」という用語は、任意のクラウド、クラウド・コンピューティング・システム、あるいはハードウェアおよび／またはソフトウェア・コンポーネントを組み込む電子通信システムまたは方法を含む。当事者間の通信は、例えば、電話ネットワーク、エクストラネット、イントラネット、インターネット、相互作用点デバイス（ポイント・オブ・セール・デバイス、スマートフォン、セルラ・フォン、キオスク等）、オンライン通信、衛星通信、オフライン通信、ワイヤレス通信、トランスポンダ通信、ローカル・エリア・ネットワーク（ＬＡＮ）、ワイド・エリア・ネットワーク（ＷＡＮ）、仮想プライベート・ネットワーク（ＶＰＮ）、ネットワーク接続またはリンク接続デバイス、キーボード、マウス、および／または任意の適した通信もしくはデータ入力様式というような、任意の適した通信チャネルを通じて行うことができる。更に、本明細書では、本システムがＴＣＰ／ＩＰ通信プロトコルによって実装されると頻繁に説明したが、本システムは、ＩＰＸ、ＡＰＰＬＥ（登録商標）Ｔａｌｋ、ＩＰ−６、ＮｅｔＢＩＯＳ（登録商標）ＯＳＩ、任意のトンネリング・プロトコル（例えば、ＩＰｓｅｃ、ＳＳＨ）、あるいは任意の数の既存のまたは今後のプロトコルを使用して実装されてもよい。ネットワークが、インターネットのような、公衆ネットワークの性質である場合、ネットワークが安全ではなく盗聴者に開かれていると仮定することは有利であると言ってもよい。インターネットと関連して利用されるプロトコル、規格、およびアプリケーション・ソフトウェアに関する具体的な情報は、一般に当業者に知られており、したがって、ここで詳細に説明する必要はない。例えば、Dilip Naik, Internet Standards and Protocols（インターネットの規格およびプロトコル）(1998)、種々の著者によるJAVA(R) 2 Complete（完全なＪＡＶＡ（登録商標）２） (Sybex 1999)、Deborah RayおよびEric Ray, Mastering HTML 4.0 （ＨＴＭＬ４．０の習得）(1997)、および David Gourley and Brian Totty, HTTP, The Definitive Guide（ＨＴＴＰ、案内書の決定版） (2002)を参照のこと。これらの文献をここで引用したことにより、その内容が本願にも含まれるものとする（あらゆる主題の免責事項および否認を除き、更に、本願に含まれるものとした資料(material)が本明細書における明白な開示と一致しない場合を除く。その場合、本開示における文言が統制する）。種々のシステム・コンポーネントは、独立して、別個に、または集合的に、データ・リンクを通じてネットワークに相応しく結合することができる。
【００９０】
[00100]  「クラウド」または「クラウド・コンピューティング」は、最小限の管理の手間またはサービス・プロバイダの介入(interaction)によって容易にプロビジョニングしそして放出することができる構成変更可能なコンピューティング・リソース（例えば、ネットワーク、サーバ、ストレージ、アプリケーション、およびサービス）の共有プールに対する便利なオンデマンド・ネットワーク・アクセスを可能にするモデルを含む。クラウド・コンピューティングは、位置に依存しないコンピューティングを含んでもよく、これによって共有サーバが、リソース、ソフトウェア、およびデータをコンピュータおよび他のデバイスに、要求に応じて提供する。クラウド・コンピューティングに関するこれ以上の情報については、https://doi.org/10.6028/NIST.SP.800-145 において入手可能な、クラウド・コンピューティングのＮＩＳＴ（アメリカ商務省標準技術局）の定義（２０１８年７月に最後に訪問された）を参照のこと。この文献をここで引用したことにより、その内容全体が本願にも含まれるものとする。
【００９１】
[00101]  本明細書において使用する場合、「送信する」(transmit)は、電子データを１つのシステム・コンポーネントから他のコンポーネントにネットワーク接続を通じて送ることを含むとしてよい。加えて、本明細書において使用する場合、「データ」(data)は、コマンド、クエリ、ファイル、格納用データ等のような包括的情報を、ディジタルまたは任意の他の形態で含むことができる。
【００９２】
[00102]  本システムは、ウェブ・サービス、ユーティリティ・コンピューティング、パーベイシブ・コンピューティングおよび個別化コンピューティング、セキュリティおよびアイデンティティ・ソリューション(security and identity solutions)、自動コンピューティング、クラウド・コンピューティング、コモディティ・コンピューティング(commodity computing)、モビリティおよびワイヤレス・ソリューション、オープン・ソース、バイオメオリクス、グリッド・コンピューティング、および／またはメッシュ・コンピューティングと関連付けた使用を想定する。
【００９３】
[00103]  本明細書において論じたデータベースはいずれも、リレーショナル、階層、グラフィカル、ブロックチェーン、オブジェクト指向構造、および／または任意の他のデータベース構成を含むことができる。データベースを実装するために使用することができる一般的なデータベース製品には、ＩＢＭ（登録商標）（Ａｒｍｏｎｋ、ＮＹ州）によるＤＢ２、ＯＲＡＣＬＥ（登録商用）  Ｃｏｒｐｏｒａｔｉｏｎ（Ｒｅｄｗｏｏｄ、 ＣＡ州）から入手可能な種々のデータベース製品、Ｍｉｃｒｏｓｏｆｔ（登録商標）Ｃｏｒｐｏｒａｔｉｏｎ（Ｒｅｄｍｏｎｄ、ワシントン州）によるＭｉｃｒｏｓｏｆｔ（登録商標）Ａｃｃｅｓｓ（登録商標）またはＭｉｃｒｏｓｏｆｔ（登録商標）ＳＱＬ  Ｓｅｒｖｅｒ（登録商標）、ＭｙＳＱＬ  ＡＢ（Ｕｐｐｓａｌａ、スエーデン）によるＭｙＳＱＬ、ＡＰＡＣＨＥ（登録商標）によるＭｏｎｇＤＢ（登録商標）、Ｒｅｄｉｓ（登録商標）、Ａｐａｃｈｅ  Ｃａｓｓａｎｄｒａ（登録商標）、ＨＢａｓｅ、ＭａｐＲ−ＤＢ、あるいは任意の他の適したデータベース製品が含まれる。更に、データベースは、任意の適したやり方で、例えば、データ表または参照表として編成されてもよい。各レコードは、１つのファイル、一連のファイル、リンクされた一連のデータ・フィールド、または任意の他のデータ構造であってもよい。
【００９４】
[00104]  本明細書において論じたデータベースはいずれも、ピア・ツー・ピア・ネットワークを通じて複数のコンピューティング・デバイス（例えば、ノード）によって維持される分散型台帳(distributed ledger)を含んでもよい。各コンピューティング・デバイスは、分散型台帳のコピーおよび／または部分コピーを維持し、妥当性を判断しデータを分散型台帳に書き込むために、ネットワークにおける１つ以上の他のコンピューティング・デバイスと通信する。分散型台帳は、ブロックチェーン技術(blockchain technology)の特徴および機能を使用することができ、例えば、同意に基づく検証、不変性、および暗号連鎖データ・ブロック(cryptographically chained blocks of data)が含まれる。ブロックチェーンは、データを収容する相互接続ブロックの台帳を含むことができる。ブロックチェーンは、セキュリティ強化に対応することができる。何故なら、各ブロックが、あらゆるブロックチェーン実行可能ファイル(executable)の個々のトランザクションおよび結果を保持できるからである。各ブロックは、直前のブロックにリンクすることができ、更にタイムスタンプを含むことができる。各ブロックはブロックチェーンにおける以前のブロックのハッシュを含むので、ブロックをリンクすることができる。リンクされたブロックはチェーンを形成し、後続の１つだけのブロックが１つの他の先行ブロックにリンクすることが許され、１つのチェーンを形成する。分岐するチェーンが以前の均一なブロックチェーンから別れる(established)場合、フォーク(fork)が可能であってもよいが、通例、分岐するチェーンの内１つだけが、同意チェーン(consensus chain)として維持される。種々の実施形態では、ブロックチェーンは、分散化されたやり方でデータ・ワークフローを実施するスマート・コントラクトを実装することができる。また、本システムは、例えば、コンピュータ、タブレット、スマートフォン、もののインターネット・デバイス（「ＩｏＴ」デバイス）等のような、ユーザ・デバイス上にデプロイされるアプリケーションも含むことができる。これらのアプリケーションは、ブロックチェーンと通信して（例えば、直接またはブロックチェーン・ノードを通じて）、データを送信および回収する(retrieve)ことができる。種々の実施形態では、管理する組織または共同体(consortium)が、ブロックチェーン上に格納されているデータへのアクセスを制御してもよい。管理する組織（１つまたは複数）に登録することにより、ブロックチェーン・ネットワークにおける関与(participation)を可能にしてもよい。
【００９５】
[00105]  ブロックチェーン・ベースのシステムによって実行されるデータ転送は、ブロックチェーン・ネットワーク内における接続ピアに、実施される特定のブロックチェーン技術のブロック作成時間によって決定することができる期間以内に伝搬することができる。また、本システムは、少なくとも部分的に、ブロックチェーンに格納されるデータの相対的な不変性によって、セキュリティ強化を提供し、種々のデータ入力および出力による改竄の確率を低減する。更に、本システムは、データをブロックチェーン上に格納する前に、暗号処理をデータに実行することによって、データのセキュリティ強化も提供することができる。したがって、本明細書において説明したシステムを使用してデータを送信、格納、およびアクセスすることによって、データのセキュリティが向上し、これによって、コンピュータまたはネットワークから情報漏洩するリスクが低減する。
【００９６】
[00106]  種々の実施形態では、本システムは、共通のデータ構造を提供し、少なくとも部分的に格納されているデータの保全性(integrity)を改善することによって、データベース同期エラーを低減することができる。また、本システムは、従来のデータベース（例えば、リレーショナル・データベース、分散型データベース等）よりも高い信頼性およびフォールト・トレランスを提供する。これは、各ノードが、格納されているデータの完全なコピーを用いて動作し、少なくとも部分的に、局所化されたネットワーク停止およびハードウェア障害によるダウンタイムを低減するからである。また、本システムは、信頼性のあるピアおよび信頼性のないピアを有するネットワーク環境においてデータ転送の信頼性を高めることができる。これは、各ノードがメッセージを全ての接続されているピアにブロードキャストするからであり、更に、各ブロックが以前のブロックに対するリンクを備え、ノードが失ったブロックを素早く検出し、この失ったブロックを求める要求を、ブロックチェーン・ネットワークにおける他のノードに伝搬することができるからである。
【００９７】
[00107]  バッテリ監視回路またはリモート・デバイスにおいて、ファイル、データベース、または行列の構造に格納されている時間、温度、および電圧データを使用して、始動バッテリの健全性(health)を判定するシステムおよび方法を開示する。実施形態例では、このシステムおよび方法は、内燃エンジンの始動中に得られた細かい粒度の電圧データおよび温度データに基づいて、内燃エンジンを始動させるために使用されるバッテリの健全性を判定するように構成される。始動容量(starting capacity)のバッテリの理論的性能要件に対する関係を分析するのとは対照的に、一実施形態例では、バッテリが設置されている用途において、そして実際の状態の下で、実際のバッテリ動作に基づいて評価を行う。ある実施形態では、この評価は、単に１つの静止データ点に基づくのではなく、クランク・イベントにおける電圧および温度データの傾向に基づく。
【００９８】
[00108]  他の実施形態例では、電圧および温度を取り込むタイミングが、エンジン始動の用途においてバッテリの健全性状態を判定するのに極めて重要となる可能性がある。バッテリが内燃エンジンの電気始動モータに最初に接続される数ミリ秒の間、始動モータは回転しておらず、バッテリは事実上短絡回路に放電している。電気始動機（クランク）を有する内燃エンジンの始動中における電流の初期サージは、主にバッテリの内部抵抗によって制限され、これは、バッテリの内部抵抗を流れる短絡電流による、バッテリ両端子間における電圧降下に反映される。
【００９９】
[00109]  他の実施形態例では、このシステムは、バッテリの内部抵抗を、バッテリの健全性を反映するものと見なすように構成され、抵抗が増大する程、エンジンをクランキングするために利用可能な電圧を低下させる。バッテリの内部抵抗が増大すると、内燃エンジンを始動させるバッテリの能力が低下する。クランク・イベント中におけるバッテリのほぼ瞬時的な最小電圧（クランク電圧）は、バッテリの内部抵抗を表す。したがって、このシステムは、バッテリの内部抵抗を理解する手がかりを得るために、クランク電圧を測定および／または記録するように構成される。更に、このシステムは、クランキングの時点におけるバッテリの温度を測定するように構成される。内部抵抗、したがって、クランク電圧は温度に依存するので、クランキングの時点におけるバッテリの温度も測定する。他の実施形態例では、このシステムは、クランキングの時点におけるバッテリの電圧（クランク電圧）および温度だけに基づいて、バッテリの健全性を判定するように構成される。
【０１００】
[00110]  実施形態例によれば、バッテリの健全性を判定する方法は、クランク・イベントを検出するステップと、クランク・イベント中におけるバッテリ温度および電圧（クランク電圧）を検知するステップと、クランク・イベントに関連する温度およびクランク電圧を格納するステップと、格納したデータに基づいてバッテリの健全性を判定するステップとを含む。他の実施形態例では、エンジン・クランク・イベントを検出するステップは、適度に高い周波数でバッテリ電圧を継続的に監視するステップを含む。監視周波数は、エンジン・クランクの初期短絡回路状態の持続期間(duration)に応じて決めることができる。実施形態例では、あるエンジン・クランクは１００ｍｓ未満の持続期間を有する。他の実施形態例では、バッテリ電圧は、高い周波数で、例えば、１０Ｈｚおよび１ｋＨｚの間、またはエンジン・クランクの間に初期短絡回路状の状態を検出できる十分に高く適した任意の周波数で、継続的に監視してもよい。
【０１０１】
[00111]  他の実施形態例では、バッテリ電圧の監視中に、バッテリの両端子間における電圧の急速で大きな降下によって、クランク・イベントを識別する。これは、逆電圧スパイク(inverted voltage spike)のように見えるかもしれず、その後に、それよりも高い電圧の発振が続く。この発振は、エンジン・クランキングの後半に起こり、エンジンが始動しもはや電気始動機によって回転させられなくなるまで続く。この実施形態例では、クランク・イベントの関連部分を検出するステップは、短い時間期間に起こる大きな電圧低下を検出し、この時間中における最低電圧を識別するステップを含む。これを検出するために、監視した電圧即ちクランク電圧を閾値電圧と比較し、閾値電圧よりも大きな電圧の低下が閾値時間未満で発生したときを判定することができる。実施形態例では、閾値電圧は（＜８Ｖ）であり、閾値時間は（＜１００ｍｓ）である。ある実施形態では、このような急速な電圧低下が識別されたときに、クランク・イベントが検出される。ある実施形態では、任意の適した閾値電圧／時間を使用することができる。クランク・イベントが検出されたとき、クランク・イベント中における最低電圧および温度を保存し、および／またはリモート・デバイスに送信することができる。他の実施形態例では、単に最小電圧だけでなく、クランク・イベント全体における電圧および温度を保存および／または送信することもできる。次いで、この保存したクランク・データを後の分析のために使用することができる。
【０１０２】
[00112]  ある実施形態では、このシステムはクランク・イベントから電圧および温度データを分析するように構成される。他の実施形態では、このシステムはバッテリ動作の複数の側面を判定するように構成される。他の実施形態では、このシステムは、特定の内燃エンジンを使用するときに、適正に始動させるために必要とされる最低電圧よりもクランク電圧が高いときに、バッテリの使用が適正であると判定し、および／または初期最低電圧後の電圧を監視して、バッテリが適正にエンジンをクランキングするために必要とされる最低電圧よりも高いか否か、特に低温時において、判定することができる。他の実施形態では、このシステムは、最低許容電圧またはその付近においてクランク・イベントの回数を測定するか、またはエンジンを始動させるクランク電圧を、バッテリがその機能を実行する能力（健全性状態）の指示として監視することができる。他の実施形態では、このシステムは、クランク・イベント中に変動する最低電圧を監視し、バッテリとエンジン始動機との間における貧弱な電気接続を示すために、この変動する最低電圧を使用する。更に他の実施形態では、このシステムは、所与の温度に対する電圧またはクランク電圧の急激な低下を検出し、差し迫ったバッテリ故障を示すためにこれを使用する。
【０１０３】
[00113]  実施形態例では、このシステムは、所与の温度に対して、複数のクランク・イベントを跨いでクランク電圧の変化を監視することによって、バッテリの健全性を判定するように構成される。ある実施形態では、バッテリが経年変化するに連れて、その内部抵抗が増大し、短絡回路状態の下で供給することができる電圧が低下し、クランク・イベント中における、バッテリの内部抵抗を表す、バッテリのほぼ瞬時的な最低電圧によって、クランク電圧を判定することができる。したがって、所与の温度に対して不可避なクランク電圧の低下を監視することによって、バッテリの経年変化を映し出す。ある実施形態では、バッテリの故障までの時間は、所与の温度に対する経時的なクランク電圧の低下の大きさによって予測することができ、次いで、この経時的な低下を使用して、クランク電圧が最低許容レベルより未満に低下する前に、クランク・イベントの時点および回数を計画する。
【０１０４】
[00114]  クランク・イベントのクランク電圧が新たなバッテリの電圧から最低の許容クランク電圧に向かって移動する時間は、特定のバッテリの実験的検査に基づく線形関係または複合関係のいずれかを使用して、バッテリの残余寿命を計画し(project)、バッテリが経年変化するに連れてそのクランク電圧が低下する速度(rate)を判定するために使用することができる。ある実施形態では、このシステムおよび方法は、電圧を監視し、クランク・イベントにおける最低電圧を取り込み、複数のクランク・イベントに跨がって、各クランク・イベントの時点における最低電圧および対応する温度を追跡し続けることによって、クランク・イベントの最低電圧を、バッテリに対するクランク健全性指標として使用するように構成される。ある実施形態では、このシステムおよび方法は、クランク・イベント・データにおける傾向を、バッテリの始動機健全性の評価基準として使用することができる。ある実施形態では、所与の温度における最低電圧を測定する。
【０１０５】
[00115]  特定的な実施形態例では、少なくとも始動機のバッテリ健全性に関連するものでは、このシステムおよび方法は、格納および／または送信されるデータの量を削減するように構成される。先に説明したように、この実施形態例では、電圧および温度データは、非常に高いサンプリング・レートで検知され、この多くのデータの格納または送信が課題となる可能性がある。しかし、実施形態例では、このシステムは、バッテリ動作の内特定の時間期間中において得られた温度および電圧データのみを格納または送信するように構成される。具体的には、このシステムは、バッテリのクランク・イベント中に得られた温度および電圧データのみを格納または送信するように構成することができる。この実施形態例では、クランク期間以外からのデータを全て破棄することができ、格納または送信されるデータ量を大幅に削減する。他の実施形態例では、瞬時的な最低クランク電圧のみを格納または送信し、格納および／または送信するデータ量を更に削減する。他の実施形態例では、このシステムは、使用されるメモリ／データベースの量がバッテリ監視の期間とは無関係となるように、バッテリ・データ履歴を格納するように構成された行列にデータを格納するように構成される。例えば、このシステムは、日単位、週単位、月単位、または年単位で格納されるクランク・イベントの回数には関係なく、同じ量のメモリを使用するクランク行列を備えることができる。
【０１０６】
[00116]  一実施形態によれば、バッテリのクランク電圧、温度、および時間を格納するためには、種々のデータ格納構造を使用することができるが、行列は、バッテリ動作を描写する電圧、温度、および時間を関係付けるように構成される。実施形態例では、クランク行列は、ある数の行および列を含み、行は異なる温度範囲を表し、列は異なる電圧範囲を表す。クランク行列は、Ｍ×Ｎ行列を形成するＭ行およびＮ列を有するのでもよい。実施形態例では、そして図５のクランク行列を参照すると、特定の温度／クランク電圧範囲内で発生するクランク・イベントの回数を、行列の各セルに記録することができる。例えば、図５のクランク行列では、内燃エンジンを始動させるバッテリに対して、特定の時間期間において、９回のクランク・イベントが発生し、瞬時最低電圧は６．０および６．５ボルトの間であり、温度は摂氏−１０度および０度の間であった。この実施形態例では、クランク電圧（６．５〜７）および温度（０〜１０°Ｃ）の状態で次のクランク・イベントが発生する場合、行列の対応するセルは１だけ増加する。ここでは、６６から６７になる。このように、この行列は、クランク・イベントのこの履歴監視に必要とされるデータ記憶量が増加することなく、特定のクランク電圧および温度範囲において発生するクランク・イベントの回数を記録し続けることができる。
【０１０７】
[00117]  実施形態例によれば、クランク行列は、更に、バッテリ動作の種々の側面をグラフィック表示するように構成することができる。例えば、クランク行列は、容認可能な範囲または望ましくない範囲で発生したクランク・イベントの数をグラフィック表示することができ、特定の内燃エンジンを使用するときに、適性に始動させるために要求される最低電圧よりもクランク電圧が高いときにバッテリの適正な使用を表示することができる。実施形態例では、クランク行列５００は、第１品質（例えば、クランク健全性に対して少なくとも容認可能）を有する第１部分５１０、第２品質（例えば、クランク健全性に対して適度に容認可能）を有する第２部分５２０、および第３品質（例えば、クランク健全性に対して容認可能）を有する第３部分５３０を含む。任意の適した数の部分を使用することができ、任意の適したやり方で品質を各セクションに指定することができる。実施形態例では、これらの部分は視覚的標識（例えば、陰影、着色文字、外枠、境界線、フォント等）によって互いに区別される。このように、各部分において追跡される発生量を見ることによって、クランク健全性の視覚的指示を一目で評価することができる。
【０１０８】
[00118]  実施形態例では、クランク行列は、特定のバッテリが、その現在の状態において、大型農機具エンジンを始動させるのに適していることを示すことができる。しかし、ある今後の時点では、同じバッテリが、その性能低下のために、乗用車のエンジンを始動させることにのみに適していることを、クランク行列を更新することによって、 示すことができる。他の用途では、クランク行列は、特定のバッテリが、その現在の状態において、暖かい夏季に典型的な温度においてその関連するエンジンを始動させるのに適していることを示すことができる。しかし、天候が冬に向かって寒くなるに連れて、このバッテリはエンジンを適性に始動させることができない場合もある。
【０１０９】
[00119]  これらの態様は、例えば、特定のセルに色、ハッチング、縁取り等を指定することによって図示することができる。このように、セル間における視覚的区別によって、その特定のセルにおいて数えられたクランク・イベントは容認可能かまたは望ましくないか示すことができる。この視覚的な合図は、多数のクランク・イベントが健全なバッテリと健全でないバッテリとの間の境界付近で起こっているか否か示すのに役立つことができる。このように、特定のセルにおける数値の蓄積が、始動機の用途における残余寿命の予測(predictor)として機能することができる。
【０１１０】
[00120]  実施形態例では、行列全体からセルの部分集合を数えて、特定の状態の下にある始動の回数を判定することができる。例えば、様々なセルに跨がって閾値数を超える高温、高電圧始動の合計は、システムが問題を有することを、ユーザに示すことができる。
【０１１１】
[00121]  他の実施形態例では、行列のセルまたはセルの部分集合を互いに比較する。一実施形態例では、これらのセルまたはセルの部分集合に重み付けする、平均する、またはそれ以外で処理して、対象の状況を識別し、それに基づいてクランク健全性の指示を報告する。所与の温度に対するクランク電圧の変化を経時的に監視することによって、バッテリの健全性について追加の側面を判定することができる。実施形態例では、種々の時点においてクランク行列を保存し、三次元行列を作成することによって、所与の温度に対する経時的なクランク電圧の変化を監視することができる。経時的なクランク行列の比較によって、バッテリ始動機の健全性についての視覚的指示を提示することができ、始動機の用途におけるバッテリの残余寿命の予測を出すことができる。
【０１１２】
[00122]  実施形態例では、バッテリのクランク電圧およびクランク温度は、バッテリ内に埋め込まれたまたはバッテリ上に取り付けられたバッテリ監視回路に、あるいはリモート・デバイス（例えば、携帯用電子デバイス、内蔵電子デバイス（車載通信またはテレマティクス・システム(telematics system)のような））、サーバ、ゲートウェイ、クラウド・ベース・システム、またはデータを受信することができる任意の適したリモート・デバイスに格納することができる。実施形態例では、クランク電圧およびクランク温度データは車載通信システムに格納され、クランク健全性情報は運転者に表示される。他の実施形態例では、クランク電圧およびクランク温度データは、電子移動体デバイスに伝達され、ユーザの車両（１つまたは複数）についてのクランク健全性情報はユーザに表示され、および／または変化するまたは貧弱な(poor)クランク健全性の通知が、ディスプレイ、ＳＭＳメッセージング、電子メール、または任意の他の適した通知手段によって、提示される。更に、他の実施形態例では、クランク電圧およびクランク温度データは、他のバッテリ特定データおよび用途特定データと共に、監視回路またはリモート・デバイスにプログラミングすることができる。実施形態例では、クランク電圧／クランク温度のカウントを、特定のバッテリ・モデルおよび／または特定のエンジン型式についての経験的情報と比較することができる。この実施形態例では、容認可能／容認不可能である行列セルの視覚的指示を、この経験的情報に基づいて調節することができる。例えば、特定のエンジンが始動させ易い場合、または特に始動させ難い場合、視覚的指示を調節してもよい。同様に、特定の用途についてのバッテリ特定情報が得られた場合に、視覚的指示を調節してもよい。実施形態例では、あらゆるクランクを監視する。同様の条件下にある複数の車両間におけるクランクの比較によって、問題のあるバッテリを識別することができる。他の実施形態例では、バッテリが完全に充電されたときに起こるクランクのみを比較する。他の実施形態例では、クランク異常のみを格納することによって、データを保存する(conserve)。
【０１１３】
[00123]  更に他の実施形態例では、バッテリ製造業者および／またはバッテリ販売業者／流通業者によって、クランキング動作が行われた温度および電圧を使用して、保証期間中に交換を請求されたバッテリが、悪用されていたか否か、および／または定められた保証条件を外れて運用されていたか否か判定するために、クランク行列を使用することができる。
【０１１４】
[00124]  本開示の１つの利点は、製造業者のバッテリ保証規定を管理するのに特に有用であるということである。実施形態例では、故障したバッテリを確認したとき、製造業者および／またはバッテリ販売業者／流通業者は、監視回路またはリモート・デバイスにアクセスして、履歴クランク電圧およびクランク温度データを他のバッテリ特定データおよび用途特定データと共に見ることができる。この実施形態例では、製造業者および／またはバッテリ販売業者／流通業者は、この情報を使用し、離れたところからまたはインターネット接続世界におけるどこからでもそれにアクセスし、保証が未だ有効か否か判定することができる。このように、保証の下で行われるサービスおよび交換のコストを削減することができる。何故なら、クランク電圧およびクランク温度データは、他のバッテリ特定データおよび用途特定データと共に、バッテリの更に詳しい履歴を提供するからである。
【０１１５】
[00125]  実施形態例では、特定のバッテリに対する保証請求が有効か否かの評価は、履歴クランク電圧、クランク温度、および／またはクランク行列を評価するアルゴリズムによって自動的に行われ、バッテリ保証によって具体的に適用される条件を外れてバッテリが動作させられていたか否か判定することができる。この評価は、任意の時点において、インターネット接続世界におけるどこからでも行うことができる。更に、バッテリとその保証条件との現在の適合をユーザに表示することができ、および／または保証条件を外れた運用の通知、および／またはバッテリ保証の最終的な無効化を、ディスプレイ、ＳＭＳメッセージング、電子メール、または任意の他の適した通知手段によって提示することができる。
【０１１６】
[00126]  更に他の実施形態では、保証の判定は、インターネット・クラウドにおいてアクセスすることができるアルゴリズムによって自動的に行うことができ、および／またはインターネット接続世界におけるいずれの場所にいる人によってでも手作業で行うこともできる。
【０１１７】
[00127]  実施形態例では、このシステムは、履歴クランク電圧およびクランク温度データを、他のバッテリ特定データおよび用途特定データと共に使用して、特定のバッテリが適正な条件で販売されているか否か、または再利用の用途で再販されているか否か判定するように構成することができる。一般的に言うと、バッテリは、特定の期間、例えば、２４か月の満了後の販売には適していない。しかしながら、今日使用されている時間期間は、特定のバッテリの実際の経験を考慮に入れていない単なる推定値に過ぎない。バッテリの使用年数(age)が、使い方や、バッテリの使用中に起こった摩耗を常に示す訳ではない。この実施形態例では、販売業者がクランク・データを使用して、バッテリが特定の用途のための販売または再販に適していないか否か判定する。
【０１１８】
[00128]  実施形態例では、保証請求処理を自動化するために、クランク・データを使用する。
【０１１９】
[00129]  図６は、種々の実施形態にしたがってバッテリのクランク健全性を判定する方法を示す。この方法は、電気始動モータに接続されたバッテリの内燃エンジンを始動させる能力を、実際のクランク状態に基づいて判定する。この実施形態例では、バッテリは、１つのモノブロック、あるいは直列または並列に電気的に接続された複数のモノブロックである。この方法は、ステップ６０２において、バッテリ電圧の監視に基づいて、クランク・イベントを検出するステップを含む。この実施形態例では、クランク・イベントを検出するステップは、更に、所定の時間期間において発生する、閾値電圧よりも大きな電圧の低下を検出することを含んでもよい。更に、この方法は、ステップ６０６において、クランク・イベント中におけるバッテリ温度（クランク温度）およびバッテリ電圧（クランク電圧）を検知するステップを含むことができる。実施形態例では、クランク・イベント中におけるクランク電圧を検知するステップは、クランク・イベント中におけるバッテリの両バッテリ端子間のクランク電圧の最低値を検知するステップを含む。実施形態例では、ステップ６０８において、この方法は、更に、クランク温度およびクランク電圧をバッテリ監視回路またはリモート・デバイスに格納するステップを含むことができる。更に、この方法は、実施形態例では、ステップ６１０において、クランク温度およびクランク電圧の変化の分析に基づいて、バッテリのクランク健全性を判定するステップを含むことができる。
【０１２０】
[00130]  実施形態例では、ステップ６１２において、バッテリのクランク健全性を判定するステップは、更に、複数回のクランク・イベントに跨がるクランク温度およびクランク電圧の経時的な傾向の分析に基づいて、バッテリに対する内燃エンジンの残余クランク回数（残余寿命）を予測するステップを含んでもよい。残余寿命の予測は、例えば、次に説明するように、１つ以上の方法で行うことができる。一実施形態例では、残余寿命を予測するステップは、更に、クランク行列の１つのセルまたは複数のセルに記録されているクランク・イベントの回数を数えるステップを含む。他の実施形態例では、残余寿命を予測するステップは、更に、クランク行列の１つのセルまたは複数のセルに記録されているクランク・イベントの回数に重み付けするステップを含む。更に他の実施形態例では、残余寿命を予測するステップは、更に、クランク行列の履歴を分析し、特定の電圧および温度範囲におけるクランク・イベントの経時的な変化を分析するステップを含む。
【０１２１】
[00131]  ステップ６２２において、この方法は、更に、例えば、クランク行列を評価して、バッテリの悪用の状態、および／または定められた保証条件を外れるバッテリの運用を判定することによって、バッテリ保証請求の妥当性を判断するステップを含むことができる。ステップ６２４において、バッテリのクランク健全性を判定するステップは、更に、例えば、クランク・イベント、および／またはクランク電圧、および／またはクランク温度における傾向に基づいて、クランク健全性を評価するステップを含んでもよい。
【０１２２】
[00132]  本開示の原理は、他の出願において開示された原理と組み合わせること、および／または他の出願において開示された原理と併せて利用することもできる。例えば、本開示の原理は、２０１８年７月２６日に出願され、"BATTERY WITH INTERNAL MONITORING SYSTEM"（内部監視システムを有するバッテリ）と題する米国特許出願第１６／０４６，７７７号、２０１８年７月２６日に出願され、"ENERGY STORAGE DEVICE, SYSTEMS AND METHODS FOR MONITORING AND PERFORMING DIAGNOSTICS ON BATTERIES"（バッテリを監視しバッテリの診断を実行するエネルギ貯蔵デバイス、システム、および方法）と題する米国特許出願第１６／０４６，７２７号、２０１８年７月２６日に出願され、"SYSTEMS AND METHODS FOR DETERMINING A STATE OF CHARGE OF A DISCONNECTED BATTERY"（切断されたバッテリの充電状態を判定するシステムおよび方法）と題する米国特許出願第１６／０４６，８８３号、２０１８年７月２６日に出願され、"SYSTEMS AND METHODS FOR UTILIZING BATTERY OPERATING DATA"（バッテリ動作データを利用するシステムおよび方法）と題する米国特許出願第１６／０４６，６７１号、２０１８年７月２６日に出願され、"SYSTEMS AND METHODS FOR UTILIZING BATTERY OPERATING DATA AND EXOGENOUS DATA"（バッテリ動作データおよび外生データを利用するシステムおよび方法）と題する米国特許出願第１６／０４６，７０９号、２０１８年７月２６日に出願され、"SYSTEMS AND METHODS FOR DETERMINING CRANK HEALTH OF A BATTERY"（バッテリのクランク健全性を判定するシステムおよび方法）と題する米国特許出願第１６／０４６，７４７号、２０１８年７月２６日に出願され、"SYSTEMS AND METHODS FOR DETERMINING A RESERVE TIME OF A MONOBLOC"（モノブロックの保存時間を判定するシステムおよび方法）と題する米国特許出願第１６／０４６，７７４号、２０１８年７月２６日に出願され、"SYSTEMS AND METHODS FOR DETERMINING AN OPERATING MODE OF A BATTERY"（バッテリの動作モードを判定するシステムおよび方法）と題する米国特許出願第１６／０４６，６８７号、２０１８年７月２６日に出願され、”SYSTEMS AND METHODS FOR DETERMINING A STATE OF CHARGE OF A BATTERY"（バッテリの充電状態を判定するシステムおよび方法）と題する米国特許出願第１６／０４６，８１１号、２０１８年７月２６日に出願され、”SYSTEMS AND METHODS FOR MONITORING AND PRESENTING BATTERY INFORMATION"（バッテリ情報を監視し提示するシステムおよび方法）と題する米国特許出願第１６／０４６，７９２号、２０１８年７月２６日に出願され、"SYSTEMS AND METHODS FOR DETERMINING A HEALTH STATUS OF A MONOBLOC"（モノブロックの健全性ステータスを判定するシステムおよび方法）と題する米国特許出願第１６／０４６，７３７号、２０１８年７月２６日に出願され、”SYSTEMS AND METHODS FOR DETECTING BATTERY THEFT"（バッテリ盗難を検出するシステムおよび方法）と題する米国特許出願第１６／０４６，７７３号、２０１８年７月２６日に出願され、”SYSTEMS AND METHODS FOR DETECTING THERMAL RUNAWAY OF A BATTERY"（バッテリの熱暴走を検出するシステムおよび方法）と題する米国特許出願第１６／０４６，７９１号、および２０１８年７月２６日に出願され、”OPERATING CONDITIONS INFORMATION SYSTEM FOR AN ENERGY STORAGE DEVICE"（エネルギ蓄積デバイスの動作状態情報システム）と題する米国特許出願第１６／０４６，８５５号において開示された原理と組み合わされてもよい。以上の出願をここで引用��たことにより、各々の内容が本願にも含まれるものとする。
【０１２３】
[00133]  本開示について説明するにあたり、以下の用語を使用する。単数形「ａ」、「ａｎ」、および「ｔｈｅ」は、文脈上そうでないことが明らかでない限り、複数の指示物も含む。つまり、例えば、１つの品目に対する引用は、１つ以上の品目に対する引用も含む。「もの」(ones)という用語は、１つ、２つ、またはそれ以上を指し、一般に数量のいずれかまたは全ての選択に適用される。「複数」という用語は２つ以上のある品目を指す。「約」(about)という用語は、量、寸法、サイズ、式(formulation)、パラメータ、形状、および正確である必要がない他の特性を意味するが、所望通りに、近似されても、および／またはもっと大きくても小さくてもよく、容認可能な許容度、変換係数、丸め、測定誤差等、更には当業者には周知の他の要因を反映する。「実質的に」(substantially)という用語は、記載される特性、パラメータ、または値が正確に達成される必要はないが、例えば、許容度、測定誤差、測定精度限度、および当業者には周知の他の要因を含む偏差あるいはばらつきが、その特性が提示することを意図した効果を除外しない量で発生してもよいことを意味する。数値データは、本明細書では、範囲の書式で表現または提示されることがある。尚、このような範囲の書式は、単に利便性および簡潔性のために使用されるに過ぎず、したがって範囲の限度として明示的に記載される数値だけでなく、個々の数値の全て、またはその範囲内に包含される細分範囲(sub-range)も、各数値および細分範囲が明示的に記載されたかのように、含むように解釈される数値も含むように、柔軟に解釈されてしかるべきであることは理解されるはずである。一例として、「約１から５」の数値範囲は、約１から約５までの明示的に記載された値だけでなく、示された範囲内にある個々の値および細分範囲も含むように解釈されてしかるべきである。つまり、この数値範囲に含まれるのは、２、３、および４のような個々の値、そして１〜３、２〜４、および３〜５等のような細分範囲である。この同じ原理は、１つの数値のみを記載する範囲（例えば、「約１よりも大きい」）にも該当し、記載される範囲または特性の広さに関係なく、該当して当然である。複数の品目は、便宜上共通リストに提示されることもある。しかしながら、これらのリストは、このリストの各構成物が別個で一意の構成物として個々に識別されるかの如く解釈されてしかるべきである。つまり、このようなリストの個々の構成物は、反対の指示がなくそれらが共通グループ内に存在することのみに基づいて、同じリストの他のいずれかの構成物の事実上の等価物であると解釈してはならない。更に、「および」(and)および「また」(or)という用語が、品目のリストと共に使用される場合、列挙された品目の内任意の１つ以上が単独で使用されても、または他の列挙された品目と組み合わせて使用されてもよいというように、広く解釈されるものとする。「あるいは」(alternatively)という用語は、文脈上そうでないことが明らかでない限り、２つ以上の選択肢からの１つの選択を意味し、列挙された選択肢のみに選択を限定することを意図するのではなく、列挙された選択肢から一度に１つだけの選択に限定することに意図するのでもない。
【０１２４】
[00134]  尚、本明細書において図示および説明した特定の実施態様は、例示であり、そうではなくて本開示の範囲を限定することは全く意図していないことは認められてしかるべきである。更に、本明細書に含まれる種々の図において示される接続線は、例示的な機能関係および／または種々の要素間の物理的結合を表すことを意図している。尚、多くの代わりのまたは追加の機能関係あるいは物理的接続が実際のデバイスまたはシステムに存在してもよいことは、注記してしかるべきである。
【０１２５】
[00135]  しかしながら、詳細な説明および具体的な例は、例示的な実施形態を示すが、限定ではなく、例示の目的にのみ与えられることは理解されてしかるべきである。本開示の範囲内に入る多くの変更および修正が、本開示の主旨から逸脱することなく、行われてもよく、本開示の範囲はこのような修正の全てを含む。以下の請求項における全ての要素の対応する構造、材料、アクト、および均等物は、特定して特許請求される通りに、他の特許請求される要素と組み合わせて、その機能を実行するためのあらゆる構造、材料、またはアクトを含むことを意図している。範囲は、添付する請求項およびそれらの法的均等物によって決定されてしかるべきであり、以上で示した例によって決定されるのではない。例えば、いずれかの方法の請求項において記載される動作は、任意の順序で実行されてもよく、請求項において提示される順序に限定されるのではない。更に、本明細書において特定して「重要である」(critical)または「必須である」(essential)と記載されていなければ、いずれの要素も必須ではない。
【０１２６】
[00136]  更に、「Ａ、Ｂ、およびＣの内少なくとも１つ」または「Ａ、Ｂ、またはＣの内少なくとも１つ」と同様の語句が特許請求の範囲または明細書において使用される場合、実施形態においてＡだけが存在してもよいこと、実施形態においてＢだけが存在してもよいこと、実施形態においてＣだけが存在してもよいこと、あるいは要素Ａ、Ｂ、およびＣの任意の組み合わせが１つの実施形態において存在してもよいこと、例えば、ＡおよびＢ、ＡおよびＣ、ＢおよびＣ、ならびにＡおよびＢおよびＣが存在してもよいことを意味するように、この語句が解釈されることを意図している。
【図１Ａ】
2020528981.tif 000003
【図１Ｂ】
2020528981.tif 000004
【図２Ａ】
2020528981.tif 000005
【図２Ｂ】
2020528981.tif 000006
【図３】
2020528981.tif 000007
【図４Ａ】
2020528981.tif 000008
【図４Ｂ】
2020528981.tif 000009
【図４Ｃ】
2020528981.tif 000010
【図４Ｄ】
2020528981.tif 000011
【図５】
2020528981.tif 000012
【図６】
2020528981.tif 000013
【国際調査報告】
2020528981.tif 000014
2020528981.tif 000015